(57)【要約】      （修正有）【課題】払出面上の景品を容易に視認することが可能な景品払出装置を提供する。【解決手段】景品が払い出される払出口が上面の平坦部分に設けられている払出部２４０を有し、内部に前記景品を積層して収納する箱形状の筐体と、前記払出部に開閉自在に設けられ、前記払出口を閉鎖または開口させる蓋体２６４を備える蓋部と、払い出される前記景品が載置され前記払出口まで上昇する載置台２４１と、前記載置台を昇降させる昇降制御部と、前記載置台の上昇に基づいて前記払出口が開口するように前記蓋体を移動させ、または、前記載置台の下降に基づいて前記払出口が閉鎖するように前記蓋体を移動させる開閉機構と、前記払出口の近傍に設けられており、前記景品が前記払出口から払い出されるときに報知する報知部とを具備する。【選択図】図１０
2020014892.tif 000002
【特許請求の範囲】
【請求項１】
景品が払い出される払出口が上面の平坦部分に設けられている払出部を有し、内部に前記景品を積層して収納する箱形状の筐体と、
前記払出部に開閉自在に設けられ、前記払出口を閉鎖または開口させる蓋体を備える蓋部と、
払い出される前記景品が載置され前記払出口まで上昇する載置台と、
前記載置台を昇降させる昇降制御部と、
前記載置台の上昇に基づいて前記払出口が開口するように前記蓋体を移動させ、または、前記載置台の下降に基づいて前記払出口が閉鎖するように前記蓋体を移動させる開閉機構と、
前記払出口の近傍に設けられており、前記景品が前記払出口から払い出されるときに報知する報知部とを具備することを特徴とする景品払出装置。
【請求項２】
前記蓋部と対向配置され、少なくとも前記載置台及び前記開閉機構を備えるベース部を具備し、
前記蓋部は、前記筐体の上面の面方向に沿って進退可能に設けられ、
前記開閉機構は、前記ベース部に回転可能に軸支され、前記載置台の上昇に伴い前記蓋部と接触して前記蓋部を前記面方向に押圧する板部材を備えること
を特徴とする請求項１に記載の景品払出装置。
【請求項３】
前記蓋部が
前記蓋体を支持する基台と、
前記基台に対して前記蓋体が遠近自在に回動するように前記基台と前記蓋体を接続する接続部材と
を備えることを特徴とする請求項２に記載の景品払出装置。
【請求項４】
前記基台は、箱状に形成され、
前記蓋体が前記払出口を閉鎖しているとき、前記蓋体は前記基台に対して最も離遠しているとともに少なくとも一部が前記払出口の壁面部に囲まれており、
前記蓋部が前記開閉機構の前記板部材によって押圧された際、前記蓋体が、前記板部材による押圧方向とは逆側に押圧されることにより回動して前記基台内に収容され、前記蓋体は前記基台に対して最も接近すること
を特徴とする請求項３に記載の景品払出装置。
【請求項５】
前記筐体は、前記蓋部が前記板部材に押圧された際に、前記蓋体と接触する接触部を有し、
前記蓋体は、前記接触部が接触して、前記押圧方向とは逆側に押圧される第２の接触部を有すること
を特徴とする請求項４に記載の景品払出装置。
【発明の詳細な説明】
【技術分野】
【０００１】
本発明は、パチンコ機などの遊技機器が設置される遊技店などに設置され特殊景品などの景品を払い出す景品払出装置に関する。
【背景技術】
【０００２】
例えばパチンコ店などの遊技店では、遊技客がパチンコ機で獲得したパチンコ玉数やスロットマシンで獲得したメダル数に応じて特殊景品を払い出す景品払出装置を設置している。
【０００３】
景品払出装置は、収納箱内の昇降台上に複数の特殊景品を重積収納しており、獲得したパチンコ玉数やメダル数に応じてその昇降台を上昇させることで所定数の特殊景品を払出している。
【０００４】
特殊景品が排出される景品払出装置の最上部である天板と、この天板上に設けられ、特殊景品を水平に押し出して天板上に排出する押出部を備える景品払出ユニットを備え、また更に景品払出ユニット上に一段高くなっているディスプレイやキーボードが設けられる操作部を備える箱型の形状の景品払出装置が知られている。
景品払出ユニットには特殊景品を水平方向に押し出す押出アームが配置され、この押出アームの移動端には天板に向けて開口する払出口が設けられている。
そして、この景品払出装置は、昇降台と、景品払出ユニットの下に配置され複数の特殊景品を一時的に貯留するスタッカ部と、このスタッカ部に対して特殊景品を昇降台から一枚ずつ高速で押し出す回転ベルトと、スタッカ部を押出アームの前まで上昇させる駆動部を備えている。
最終的に、押出アームがスタッカ部上の特殊景品を水平方向に押し出すことによって、景品が払出口から天板上に排出される。遊技客は、排出された特殊景品を自身の景品として自由に持ち出すことができる。
【先行技術文献】
【特許文献】
【０００５】
【特許文献１】特開２００７‐１０５５１９号
【発明の概要】
【発明が解決しようとする課題】
【０００６】
遊技客が景品を取忘れてしまうことを防止するために、従業員は、操作部側から天板上を注視することがある。天板は、景品払出ユニットに対して一段低い位置にあるため、景品払出ユニットに遮られ天板上の景品が視認しにくい場合があった。
本発明は、係る課題を解決するためになされたもので、払い出した景品を容易に視認することが可能な景品払出装置を提供することを目的とする。
【課題を解決するための手段】
【０００７】
実施形態の景品払出装置は、景品が払い出される払出口が上面の平坦部分に設けられている払出部を有し、内部に前記景品を積層して収納する箱形状の筐体と、前記払出部に開閉自在に設けられ、前記払出口を閉鎖または開口させる蓋体を備える蓋部と、払い出される前記景品が載置され前記払出口まで上昇する載置台と、前記載置台を昇降させる昇降制御部と、前記載置台の上昇に基づいて前記払出口が開口するように前記蓋体を移動させ、または、前記載置台の下降に基づいて前記払出口が閉鎖するように前記蓋体を移動させる開閉機構と、前記払出口の近傍に設けられており、前記景品が前記払出口から払い出されるときに報知する報知部とを具備する。
【発明の効果】
【０００８】
実施形態の景品払出装置によれば、払出面をフラットに形成することができる。したがって、払い出した景品を容易に視認することが可能となる。
【０００９】
また実施形態の景品払出装置によれば、景品を速やかに払出しすることができる。また、実施形態の景品払出装置によれば、払出口を閉鎖する蓋を開閉するための専用のモータなどを備える必要が無く、製造コストが上昇してしまうことを防止することができる。
【図面の簡単な説明】
【００１０】
【図１】実施形態に係る景品払出システム１全体の構成を示す図である。
【図２】景品払出装置１７を示す斜視図である。
【図３】図２に示した景品払出装置１７の裏側を示す斜視図である。
【図４】図３に示した景品払出装置１７の背面扉１０９を開いた状態を示す斜視図である。
【図５】景品カートリッジ１１１を示す斜視図である。
【図６】下部ユニット１１２の外側部を説明するための一部拡大斜視図である。
【図７】下部ユニット１１２の内部を示す概略図である。
【図８】景品カートリッジ１１１が下部ユニット１１２に収容された状態を示す概略図である。
【図９】上部ユニット１１３を示す斜視図である。
【図１０】上部ユニット１１３の内部を示す一部断面図である。
【図１１】景品押出部２１０及び景品計数部２３０の一部を示す斜視図である。
【図１２】シャッター部２６０を示す斜視図である。
【図１３】図１２に示したシャッター部２６０を上から見た斜視図である。
【図１４】蓋体２６４の開閉動作を説明するための斜視図である。
【図１５】蓋体２６４の開閉動作を説明するための斜視図である。
【図１６】景品Ｗの計数動作を説明するための一部断面図である。
【図１７】景品Ｗの移動について説明するための図９の斜視断面図である。
【図１８】主制御手段１０４の機能を示す機能ブロック図である。
【図１９】レーン制御手段１０５の機能を示す機能ブロック図である。
【図２０】レーン制御手段１０５の制御を示すフローチャートである。
【図２１】第２の実施形態に係る上部ユニット１１３ａの内部を示す概略図である。
【図２２】第２の実施形態に係る上部ユニット１１３ａにおけるレーン制御手段１０５の制御を示すフローチャートである。
【発明を実施するための形態】
【００１１】
（第１の実施形態）
以下、図面を参照して、本発明の一つの実施形態に係る景品払出システム及び景品払出装置を説明する。
【００１２】
（景品払出システム１について）
まず、図１を参照して、景品払出システム１について説明する。図１は、実施形態に係る景品払出システム１全体の構成を示す図である。
景品払出システム１は、図１に示すように、ネットワーク３を介して複数の機器が通信可能に接続されてなる遊技店システムの中で、獲得した遊技媒体数（例えば、パチンコ玉数やメダル数）に応じて払い出される景品Ｗ（景品）の払出しに関するシステムである。
【００１３】
景品払出システム１では、複数のパチンコ機５（遊技機）、このパチンコ機５の間に配置されパチンコ機５とそれぞれ接続される複数の台間機７、複数のスロットマシン９（遊技機）、メダル払出し用の台間機１１がいわゆる「島」を形成し、島コンピュータ１３を介してそれぞれネットワーク３に接続されている。
景品払出システム１では、現金や、会員用ＩＣカード１５ａまたは非会員用ＩＣカード１５ｂ（記録媒体）により特定可能な度数（有価価値）によって遊技店と遊技客との間で、遊技媒体の貸借が行われる。
【００１４】
景品払出システム１は、景品Ｗを払い出すための景品払出装置１７を備える。ここでは、景品払出装置１７は、景品管理装置（ＰＯＳ）１９に専用のケーブルにより接続されており、ＰＯＳ１９を介してネットワーク３に接続される。また、例えば景品払出装置１７とＰＯＳ１９とを専用のケーブルではなく、ネットワーク３を介して接続してもよい。
【００１５】
ネットワーク３は、例えば、Ｌｏｃａｌ  Ａｒｅａ  Ｎｅｔｗｏｒｋ（ＬＡＮ）である。ネットワーク３は、有線ＬＡＮでもよいし無線ＬＡＮでもよい。
ネットワーク３には、さらに、遊技媒体の数を計数したり景品払出し用のカードやレシートなどを発券したりする計数機２１が接続されている。計数した玉数またはメダル数に基づく情報を有価情報という。
有価情報には、計数した玉数、またはメダル数が変換された貯玉数、または貯メダル数を示す情報も含まれる。計数機２１は、カードやレシートにより有価情報を特定できるようにして発券を行う。
ネットワーク３には、受け入れた会員用ＩＣカード１５ａまたは非会員用ＩＣカード１５ｂの度数残高を現金で返却する精算機２３、管理装置２５が接続されている。
【００１６】
ネットワーク３には、さらに、再プレー受付機２７、発券機２９、データ表示機３１、データ公開機３３などが接続されている。
再プレー受付機２７は、会員用ＩＣカード１５ａに記憶されたＩＤに基づいて、管理装置２５の記憶部に記憶された貯玉数または貯メダル数があれば再プレー用の貯玉数または再プレー用の貯メダル数の情報を書き換える旨の要求信号を管理装置２５に送信する。この結果、再プレーが行える状態になる。
【００１７】
発券機２９は、紙幣を受け入れる。発券機２９は、度数を購入するための「購入ボタン」を備え、選択された金額に対応する度数を、会員用ＩＣカード１５ａにより特定可能にしたり、その金額に対応する度数が特定可能な非会員用ＩＣカード１５ｂを発行したりする。
データ表示機３１は、各遊技機の上部に取付けられ、各遊技機におけるスランプグラフ、スタート回数、大当たり回数などの情報を表示する。
【００１８】
データ公開機３３は、各遊技機の、例えば、スランプグラフ、スタート回数、大当たり回数などの情報を検索可能な装置であり、その検索情報を表示部に表示して遊技客に提供する。
上記した各機器からの情報は、ネットワーク３を介して管理装置２５に出力され、さらに、プロトコルコンバータ３５、モデム３７を介して外部の統括情報センタ３９が備える統括管理装置３９ａに送信される。
【００１９】
また、ネットワーク３を介して、管理装置２５から各機器に種々の信号（情報）を出力することもできる。「種々の信号（情報）」とは、例えば、景品払出装置１７への景品Ｗの払出しを指示する払出指示信号、景品Ｗの在庫の計数を指示する在庫計数指示信号、景品Ｗを積層して保持する景品収納部（後述する景品カートリッジ１１１）を景品払出装置１７から取り出すための取出指示信号である。
【００２０】
これらの信号によって所定枚数の景品Ｗの払出しが行われたり、景品Ｗの在庫が計数されたりする。払出指示信号には、遊技客に払い出される景品Ｗの枚数を示す情報（払出枚数情報）が含まれている。この払出指示信号、在庫計数指示信号、取出指示信号は、ＰＯＳ１９、パーソナルコンピュータ（ＰＣ）４１などネットワーク３に接続される各機器から景品払出装置１７に送信されることもある。
【００２１】
統括管理装置３９ａには、例えば、他の遊技店からも種々情報が送信される。この結果、遊技店ごとの集計や遊技店全体の集計などを行うことができる。また、統括管理装置３９ａにおいて集計された各情報は、ＰＣ４１などで見ることができる。
また、ＰＣ４１によって、ネットワーク３を介して各機器を制御したり、各機器が管理する情報を利用（情報の表示、編集、印刷）したりすることができる。
【００２２】
（景品払出装置１７について）
次に図２〜図５を用いて景品払出装置１７について詳細に説明する。図２は、景品払出装置１７を示す斜視図である。図３は、図２に示した景品払出装置１７の裏側を示す斜視図である。図４は、図３に示した景品払出装置１７の背面扉１０９を開いた状態を示す斜視図である。図５は、景品カートリッジ１１１を示す斜視図である。
【００２３】
図２に示すように、景品払出装置１７は、筐体１００（筐体）、点灯部１０３、主制御手段１０４、レーン制御手段１０５（昇降制御部）、表示ユニット１０６、操作表示パネル１０７を備える。図３及び図４に示すように、景品払出装置１７は、背面扉１０９、景品払出ユニット１１０を備える。なお、表示ユニット１０６及び操作表示パネル１０７は、ＰＯＳ１９に備えつけられることもある。この場合、景品払出装置１７は、表示ユニット１０６及び操作表示パネル１０７を備えなくてもよい。もしくは、表示ユニット１０６及び操作表示パネル１０７を筐体上面から突出させずに筐体上面をフラットにするように筐体に埋設してもよい。その場合、景品払出装置１７から払い出された景品Ｗの視認性は一層向上する。また、景品払出装置１７は、点灯部１０３を備えないこともある。
【００２４】
景品払出装置１７は、遊技の結果として得られる景品Ｗをレーンごとに払い出す。「レーン」とは、図２及び図４に示すように、それぞれ複数あるうちの１の点灯部１０３、１のレーン制御手段１０５、１の景品払出ユニット１１０、を一組とした単位であり、ここでは景品払出装置１７は６つのレーンを備えている。
【００２５】
図２に示すように、筐体１００は、排出天板１００ａ、正面部１００ｂ（遊技客側の面部）及び背面部１００ｃ（従業員側の面部）を備える。筐体１００の内部には、景品Ｗが保管されている。
【００２６】
排出天板１００ａの上面の所定の箇所には、景品Ｗが排出される景品払出口１００ｄ（払出口）が設けられている。ここでは、景品払出口１００ｄは、６カ所に設けられている。このように景品払出口１００ｄを設けることによって、最大で６箇所から景品Ｗを同時に排出することが可能となる。景品払出口１００ｄは、６箇所に限られるものではなく、景品Ｗを一度に排出する量によって設置数を増減させてもよい。
景品払出口１００ｄは、図１０などを参照して後述するシャッター部２６０（蓋部）の蓋体２６４によって通常時は閉鎖されている。
【００２７】
点灯部１０３は、排出天板１００ａ上の景品払出口１００ｄの近傍に設けられている。点灯部１０３は、例えばＬＥＤランプを備える。点灯部１０３は、景品払出口１００ｄと対応する数が設置される。景品Ｗが排出される景品払出口１００ｄに対応した点灯部１０３が点灯することによって、景品Ｗが排出される景品払出口１００ｄの位置を遊技客や従業員に示すことができる。
【００２８】
表示ユニット１０６は、払い出される景品Ｗの数などを表示するためのディスプレイ装置であり、例えば液晶モニタなどで構成される。表示ユニット１０６は、スピーカを備えることもある。この場合、遊技客に対して「いらっしゃいませ」、「景品が出るまでしばらくお待ち下さい」などの音声による情報を発することができる。また、例えばスピーカは景品払出装置１７に備えてもよい。
【００２９】
図３に示すように、操作表示パネル１０７は、景品払出装置１７の背面側を向いて設けられている。操作表示パネル１０７には、表示部１０７ａ、エラー発生時点灯部１０７ｂが設けられている。
表示部１０７ａは、表示ユニット１０６と同様に、払い出される景品Ｗの数などを表示するためのディスプレイ装置であり、例えば液晶モニタなどで構成される。
【００３０】
エラー発生時点灯部１０７ｂは、操作表示パネル１０７の左右の端部に設けられている。エラー発生時点灯部１０７ｂは、景品Ｗの補充要求や搬送不良などのエラー発生時に点灯する。また、エラー発生時の点灯は点灯部１０３で行っても良い。
【００３１】
さらに操作表示パネル１０７には、接続されたＰＯＳ１９の台数を示す点灯部１０７ｃが設けられている。この点灯部１０７ｃは、例えばＬＥＤランプを備え、ＰＯＳ１９が１台併設されている場合にはＬＥＤランプが１つ点灯し、ＰＯＳ１９が２台併設されている場合には、２つ点灯する。
【００３２】
また、操作表示パネル１０７には、点灯部１０７ｃに近接して、景品払出装置１７のレディ状態を示すレディ点灯部１０７ｄが設けられている。このレディ点灯部１０７ｄも、例えばＬＥＤランプなどを備える。
操作表示パネル１０７には、さらにボタン群１０７ｅが設けられている。
【００３３】
ボタン群１０７ｅは、種々のボタンから構成されている。ボタン群１０７ｅは、例えば「在庫確認ボタン」、「景品カートリッジ取り出しボタン」、「テンキー」、「払出しボタン」などを備えることができる。
在庫確認ボタンが押されることによって景品Ｗの在庫計数を行うことができる。景品カートリッジ取り出しボタンが押されることによって、景品Ｗを積層して保持する景品カートリッジ１１１を景品払出装置１７から取り出すことができる。また、例えば操作表示パネル１０７をタッチパネルと液晶にすれば、ボタン群１０７ｅや各点灯部１０３は不要となる。
【００３４】
景品カートリッジ取り出しボタンがＰＯＳ１９に備えられている場合がある。この場合、ＰＯＳ１９の景品カートリッジ取り出しボタンが押されたことに対応して、ＰＯＳ１９から景品払出装置１７に対して、景品カートリッジ１１１の取り出しを指示する取出指示信号が送信される。結果として、景品カートリッジ１１１を景品払出装置１７から取り出すことができる。景品カートリッジ１１１については、図５を参照して後述する。
【００３５】
テンキーによって、例えば、払い出す景品Ｗの枚数を入力することができる。払出しボタンによって、例えば、景品Ｗの種類を入力したり、景品Ｗの払出しを開始することができる。このことにより、景品払出口１００ｄから所定の枚数の景品Ｗを払い出すことができる。すなわち、テンキー及び払出しボタンを備えることによって、ＰＯＳ１９、管理装置２５、ＰＣ４１などから払出指示信号が送信されなくとも景品Ｗを払い出すことができる。なお、払い出す景品Ｗの枚数や種類を、獲得したパチンコ玉数やメダル数に応じて自動的に算出することもできる。
【００３６】
図３に示すように背面扉１０９は、筐体１００の背面部１００ｃに設けられている。背面扉１０９は、把持部１０９ａ及び施錠機構１０９ｂを備える。
背面扉１０９は、両開きタイプの扉であり、遊技店の従業員は、把持部１０９ａを握って左右の背面扉１０９を開閉できる。
施錠機構１０９ｂは、例えば、鍵孔に鍵を差し込むことで施錠または開錠が可能な構造を有している。施錠機構１０９ｂは、図２に示した主制御手段１０４と回線を介して接続されることがある。
【００３７】
図４に示すように、一方の背面扉１０９の側面には、開扉検知手段１０９ｃが配置される。この開扉検知手段１０９ｃは、例えば、接点スイッチなどで構成される。開扉検知手段１０９ｃは、他方の背面扉１０９の側面が自身（開扉検知手段１０９ｃ）に接触したことを検知できる。
【００３８】
景品払出ユニット１１０は、景品カートリッジ１１１、下部ユニット１１２、上部ユニット１１３を備える。景品払出ユニット１１０は、景品払出装置１７の横方向にレーンごとに並列的に配置される。この実施例では、６レーン分の景品払出ユニット１１０を配置しているが、景品払出ユニット１１０の配置数は６レーン分に限られるものではなく、その数を増減してもよい。
【００３９】
景品カートリッジ１１１は、景品Ｗを積層して保持する箱体である。図５に示すように、景品カートリッジ１１１は、全体として直方体からなり、複数の一列に並べられた直方体空間からなる景品収納列１２０から構成される。景品カートリッジ１１１は、下部ユニット１１２に出入れ自在に挿入され、かつ下部ユニット１１２内を移動可能に配置される。
【００４０】
景品カートリッジ１１１の一方の外側面には、従業員に把持される把持部１２１が設けられている。把持部１２１が設置された外側面とは反対側の景品カートリッジ１１１の外側面には、金属プレート１２２が配設されている。ここでは、２個の金属プレート１２２が景品カートリッジ１１１の外側面の下部に配設されているが、個数及び配置位置はこれに限るものではない。
【００４１】
景品収納列１２０は、それぞれ景品Ｗを収納する。例えば、景品Ｗの厚さが３ｍｍの場合、景品収納列１２０は、景品Ｗを１５０個収納することができる。したがって、３個の景品収納列１２０で、合計４５０個の景品Ｗを収納することができる。ここでは、景品カートリッジ１１１は、３個の景品収納列１２０から構成されているが、これに限られるものではなく、景品収納列１２０の数を増減してもよい。景品収納列１２０には、それぞれ異なる種類の景品Ｗを収納させてもよいし、同じ種類の景品Ｗを収納させてもよい。
【００４２】
景品収納列１２０の背面及び両側面は壁面で形成されている。景品収納列１２０は、隣接する景品収納列１２０の間の側面１２０ａをそれぞれ共有している。
景品収納列１２０の前面及び天井面は開口されている。景品収納列１２０の側面前部には、板状のガイド１２４が景品収納列１２０に沿って設けられている。
景品収納列１２０の底面には、中央部及び前面部の一部が切り欠きされ、略Ｃ字型に形成された景品ストッパ１２５が固着されている。景品ストッパ１２５は、景品収納列１２０内に積層される景品Ｗを支持する。
【００４３】
次に図６〜図８を用いて下部ユニット１１２について詳細に説明する。図６は、下部ユニット１１２の外側部を説明するための一部拡大斜視図である。図７は、下部ユニット１１２の内部を示す概略図である。図８は、景品カートリッジ１１１が下部ユニット１１２に収容された状態を示す概略図である。
【００４４】
図６に示すように下部ユニット１１２は、下部筐体１１２ａ、カートリッジ挿入口扉１１２ｂ、ロック機能部１１２ｃ及び接点スイッチ１１２ｄを備える。
下部筐体１１２ａは、中空の箱体であり、景品カートリッジ１１１を出入自在に収容する。下部筐体１１２ａには、下部筐体１１２ａの外部に開口する景品カートリッジ挿入口１１２ｅが形成され、この景品カートリッジ挿入口１１２ｅから景品カートリッジ１１１が出入れされる。
【００４５】
カートリッジ挿入口扉１１２ｂ、ロック機能部１１２ｃ及び接点スイッチ１１２ｄは、それぞれ景品カートリッジ挿入口１１２ｅの近傍に配置される。接点スイッチ１１２ｄは、カートリッジ挿入口扉１１２ｂの開閉を検知するために設けられている。
ロック機能部１１２ｃ及び接点スイッチ１１２ｄは、レーン制御手段１０５と回線を介して接続されることがある。
【００４６】
カートリッジ挿入口扉１１２ｂは、景品カートリッジ挿入口１１２ｅを閉鎖可能な開閉扉として機能する。カートリッジ挿入口扉１１２ｂの一端側は、例えば、蝶番などの回動支持部材１１２ｆによって下部筐体１１２ａに固定されている。この回動支持部材１１２ｆを設けることによって、回動支持部材１１２ｆを軸としてカートリッジ挿入口扉１１２ｂを開閉することができる。
【００４７】
また、カートリッジ挿入口扉１１２ｂの固定側とは反対側の縁部には、係止開口部１１２ｇが設けられている。係止開口部１１２ｇは、ロック機能部１１２ｃと対応する位置に設置される。係止開口部１１２ｇは、カートリッジ挿入口扉１１２ｂが閉められたときに、ロック機能部１１２ｃによって係止される。結果として、カートリッジ挿入口扉１１２ｂは、ロック機能部１１２ｃによってロックされる。
カートリッジ挿入口扉１１２ｂには、図４に示すように、扉把持部１１３ｈが設置されている。
【００４８】
下部ユニット１１２の下部筐体１１２ａの上部には、図７に示すように、上部ユニット１１３及び排出天板１００ａが配置される。下部筐体１１２ａの天井面には、上部ユニット１１３と連通する開口部１１２ｊが設けられている。
開口部１１２ｊを介して、景品Ｗが上部ユニット１１３内に搬送され、最終的に景品払出口１００ｄから払い出される。
【００４９】
図７に示すように下部ユニット１１２は、ガイド部１３０、リフト機構１４０、計数部１７０、景品搬送部１８０を収容する。下部ユニット１１２は、これら以外にも必要に応じて種々のセンサを収容する。「種々のセンサ」は、例えば、下部筐体１１２ａの底面部に配設された初期位置センサ１５１及び初期位置センサ１５２である。初期位置センサ１５１は、景品搬送部１８０の待機位置に配設される。初期位置センサ１５２は、計数部１７０の待機位置に配設され、初期位置センサ１５１よりも上方に位置する。
【００５０】
ガイド部１３０は、ガイドレール１３１、ガイドローラ１３２、カートリッジ設置板１３３、キャッチ手段１３４、マグネット１３５、位置検出用突起１３６、位置検知センサ１３７、カートリッジ移動機構１３８を備える。
【００５１】
ガイドレール１３１は、景品カートリッジ挿入口１１２ｅの下端位置の両側に、かつ景品カートリッジ挿入口１１２ｅから景品カートリッジ挿入口１１２ｅの反対側である下部筐体１１２ａの奥に渡って帯状に設置されている。ガイドレール１３１の一部は、景品搬送部１８０の一部が、上下方向（ガイドレール１３１の配設方向に直交する方向）に通り抜けることが可能なように切り欠きされている。ガイドレール１３１は、挿入された景品カートリッジ１１１の移動方向をガイドする。
【００５２】
ガイドローラ１３２は、ガイドレール１３１の一方の壁面から他方の壁面間に渡って複数本設置される。ガイドローラ１３２が回転することによって、カートリッジ設置板１３３が、ガイドレール１３１に沿ってガイドローラ１３２上を移動する。
カートリッジ設置板１３３は、ガイドローラ１３２上に配置される。カートリッジ設置板１３３は、景品カートリッジ挿入口１１２ｅから挿入された景品カートリッジ１１１を受けて景品カートリッジ１１１を支持する。カートリッジ設置板１３３は、景品カートリッジ１１１と一体的にガイドレール１３１の配設方向に移動する。
カートリッジ設置板１３３には、計数部１７０及び景品搬送部１８０が通過可能な切欠き１３３ａが設けられている。
【００５３】
位置検知センサ１３７は、下部筐体１１２ａの内壁面の所定の位置に配設される。
【００５４】
カートリッジ移動機構１３８は、それぞれ下部筐体１１２ａの底部に設置されたステッピングモータ１３８ａ及びタイミングベルト１３８ｂを備える。カートリッジ移動機構１３８は、ステッピングモータ１３８ａとタイミングベルト１３８ｂを接続する所定のギア比のギア部を備えることもできる。
【００５５】
ステッピングモータ１３８ａは、レーン制御手段１０５によって正逆回転される。ステッピングモータ１３８ａの回転軸には、カートリッジ設置板１３３上に設置された景品カートリッジ１１１の移動位置を検知するために回転の有無を検出する為のエンコーダを設けることもできる。
【００５６】
タイミングベルト１３８ｂは、ステッピングモータ１３８ａからの動力をカートリッジ設置板１３３に伝達するための伝達手段である。ステッピングモータ１３８ａが駆動することによって、タイミングベルト１３８ｂが駆動する。結果的にカートリッジ設置板１３３が、ガイドローラ１３２上を移動する。
【００５７】
（リフト機構１４０について）
リフト機構１４０は、ステッピングモータ１４１、ギア群１４２、スパイラルシャフト１４３、リニアシャフト１４４、クラッチ１４５を備える。
リフト機構１４０は、ステッピングモータ１４１が正常に回転しているかを検知するためのエンコーダを備えることもある。リフト機構１４０は、計数部１７０単体または、計数部１７０とこの計数部１７０に保持（連結）された景品搬送部１８０を昇降させる。景品Ｗの在庫を計数する場合、計数部１７０は単体で昇降する。景品Ｗを払い出す場合、計数部１７０と景品搬送部１８０は連結した状態で一体的に昇降する。
【００５８】
ステッピングモータ１４１、ギア群１４２、スパイラルシャフト１４３、リニアシャフト１４４、クラッチ１４５は、下部筐体１１２ａの底面部に配置されている。
ステッピングモータ１４１は計数部１７０単体、または連結された計数部１７０及び景品搬送部１８０を昇降させるための駆動源であり、レーン制御手段１０５によって正逆回転される。
【００５９】
ギア群１４２は、ステッピングモータ１４１の動力をスパイラルシャフト１４３に伝達する。なお、タイミングベルト１３８ｂのようなベルト機構やこの他にもチェーン機構によって、ステッピングモータ１４１の動力をスパイラルシャフト１４３に伝達させてもよい。
【００６０】
スパイラルシャフト１４３及びリニアシャフト１４４は、互いに所定の間隔を空けて並行に配置されている。スパイラルシャフト１４３及びリニアシャフト１４４は。下部筐体１１２ａの底面部から開口部１１２ｊが開口する天井面に渡って設置されている。
スパイラルシャフト１４３は、ステッピングモータ１４１に対してギア群１４２及びクラッチ１４５を介して接続されており、ステッピングモータ１４１から動力を供給されて回転する。スパイラルシャフト１４３の回転によって計数部１７０単体、または連結された計数部１７０及び景品搬送部１８０が昇降する。
リニアシャフト１４４は、計数部１７０及び景品搬送部１８０の昇降をガイドする。
【００６１】
クラッチ１４５は、例えば双方向クラッチである。クラッチ１４５の入力軸は、ステッピングモータ１４１側のギア群１４２と接続され、クラッチ１４５の出力軸は、スパイラルシャフト１４３側のギア群１４２に接続される。クラッチ１４５では、ステッピングモータ１４１が正転または逆転した場合のどちらの場合においても入力軸と出力軸が回転する。つまり、正転または逆転のどちらの場合であってもステッピングモータ１４１の動力は、ギア群１４２とともにスパイラルシャフト１４３に伝わる。
【００６２】
ただしクラッチ１４５は、ステッピングモータ１４１にとっては外乱となるスパイラルシャフト１４３側からの力（例えば、回転力）を受けると、出力軸がロックする。
クラッチ１４５はステッピングモータ１４１を励磁せずに計数部１７０と景品搬送部１８０が連結された状態で所定の位置にとどめておきたい場合に使用する。その為、ステッピングモータの励磁を行えば、クラッチ１４５は不要となる
【００６３】
計数部１７０及び景品搬送部１８０は、図８に示すように、景品収納列１２０に収納された景品Ｗを下方から支持し、上昇して上部ユニット１１３まで搬送する。
計数部１７０は、景品搬送部１８０の上方に位置する。計数部１７０は、図７に示したステッピングモータ１４１の駆動によって、スパイラルシャフト１４３及びリニアシャフト１４４に沿って昇降する。
【００６４】
計数部１７０は、ここでは図示を省略したロック機構を備えており景品搬送部１８０を保持する。この状態を計数部１７０と景品搬送部１８０が連結した状態という。ロック機構は特に限定されず、景品搬送部１８０を爪で引掛けたり、電磁石で引き付けたりするなど種々の構成を採用することができる。
【００６５】
景品搬送部１８０は、薄板形状の本体部１８１、円柱形状の支柱部１８２、板形状の景品支持台１８３を備える。景品搬送部１８０は、計数部１７０の下方に位置する。景品搬送部１８０は、スパイラルシャフト１４３には接続されていない。景品搬送部１８０は、計数部１７０に保持されて、リニアシャフト１４４に沿って昇降し、景品カートリッジ１１１に積層された景品Ｗを上部ユニット１１３まで搬送する。
【００６６】
支柱部１８２は、本体部１８１上に並列に設けられている。支柱部１８２は、景品カートリッジ１１１に積層されたうちの最下部の景品Ｗが、上部ユニット１１３内に確実に搬送されるように所定の高さ（リニアシャフト１４４に沿う方向の長さ）を有している。支柱部１８２は、景品支持台１８３を保持する。
景品支持台１８３は、ガイドレール１３１の切り欠きされた部位を通り抜けることが可能な位置に配設され、かつ通り抜けることが可能な大きさに形成される。景品支持台１８３は、景品カートリッジ１１１に積層された景品Ｗを下方向から持ち上げる。
【００６７】
（上部ユニット１１３について）
次に図９〜図１５を用いて上部ユニット１１３の構成を詳細に説明する。図９は、上部ユニット１１３を示す斜視図である。図１０は、上部ユニット１１３の内部を示す一部断面図である。図１１は、景品押出部２１０及び景品計数部２３０の一部を示す斜視図である。図１２は、シャッター部２６０を示す斜視図である。図１３は、図１２に示したシャッター部２６０を上から見た斜視図である。図１４及び図１５は、蓋体２６４の開閉動作を説明するための斜視図である。
【００６８】
図９に示すように上部ユニット１１３は、ベース部２００（ベース部）、景品押出部２１０、景品分別部２２０、景品計数部２３０、景品払出部２４０、払出口開閉部２５０（開閉機構）を具備する。上部ユニット１１３は、図１０に示すようにシャッター部２６０を具備する。
上部ユニット１１３は、下部ユニット１１２から搬送された景品Ｗを遊技客に払い出す装置である。
【００６９】
（ベース部２００について）
図９に示すようにベース部２００上には、景品押出部２１０、景品分別部２２０、景品計数部２３０、景品払出部２４０、払出口開閉部２５０がそれぞれ配設される。
ベース部２００には、ベース部２００の表面から裏面を貫通し、下部筐体１１２ａに形成された開口部１１２ｊ（図１０参照）と連通する景品挿入口２００ａが形成されている。
景品挿入口２００ａを介して、計数部１７０及び景品搬送部１８０が搬送してきた景品Ｗが上部ユニット１１３内に挿入される。
【００７０】
図１０に示すようにベース部２００は、下部筐体１１２ａの上に配設される。ベース部２００は、下部筐体１１２ａと一体的に形成されることもある。この場合、ベース部２００の下側は下部筐体１１２ａの天井面として機能する。
【００７１】
（景品押出部２１０について）
図９に示すように景品押出部２１０は、枠体２１１、スライドレール２１２、本体部２１３、センサ２１４ａ，２１４ｂ、押出板２１５、押出モータ２１６を備える。
景品押出部２１０では、押出モータ２１６の回転によって本体部２１３及び押出板２１５がスライドレール２１２に沿って水平方向に進退可能にスライドし、景品挿入口２００ａから挿入された景品Ｗを景品払出部２４０に押し出す。
【００７２】
枠体２１１は、中央部が開口する一対の平板をスペーサ２１７によって離間して配置したものである。枠体２１１の所定の箇所には、スライドレール２１２、センサ２１４ａ，２１４ｂが配設される。
本体部２１３は、スライドレール２１２に取付けられており、押出モータ２１６の駆動によってベース部２００に対して水平方向にスライドする。本体部２１３の所定の面には、押出板２１５が取付けられている。
【００７３】
センサ２１４ａ，２１４ｂは、例えば、光センサなどの非接触センサや各種の接触センサである。
センサ２１４ａ，２１４ｂは、本体部２１３が後進端にあるか、前進端まで移動したか否かをレーン制御手段１０５が検知するために設けられる。センサ２１４ａ，２１４ｂが、本体部２１３の側面を読み取ることで本体部２１３の位置を検知できる。
ここで、「後進端」とは、景品Ｗの払出しが行われる前の本体部２１３の待機位置（ホームポジション）を指す。「前進端」とは、本体部２１３（及び押出板２１５）が払出し対象の景品Ｗを景品払出部２４０に押し出す際の移動限界位置を指す。
【００７４】
センサ２１４ａは、後進端に配設され、センサ２１４ｂは、前進端に配置される。
センサ２１４ａ，２１４ｂは、レーン制御手段１０５と接続されており、検知信号をレーン制御手段１０５に出力する。
【００７５】
押出板２１５は、図１１に示すように、基部２１５ａ、一対の腕部２１５ｂ、押出部２１５ｃを備える。
押出板２１５は、平板形状を有しており、本体部２１３に固定され、本体部２１３と一体的にスライドする。
【００７６】
一対の腕部２１５ｂは、基部２１５ａから図９に示した景品払出部２４０に向かって延びる。この「延びる」方向を延設方向という。一対の腕部２１５ｂの先端側（基部２１５ａとは逆の端側）には、一対の回転ローラ２１８がそれぞれ設けられる。
【００７７】
一対の回転ローラ２１８は、基部２１５ａの面方向に直交する回転軸２１８ａを有しており、回転軸２１８ａに対し自由に回転する。
押出部２１５ｃは、基部２１５ａに一体的に形成されている。押出部２１５ｃは、基部２１５ａに対して略直角方向に曲げられており、かつ図９に示したベース部２００に向かって延びる。
【００７８】
押出部２１５ｃは、払出し対象の景品Ｗの側面と当接して、払出し対象の景品Ｗを景品払出部２４０まで押し出す。
【００７９】
押出モータ２１６は、例えばステッピングモータであり、レーン制御手段１０５によって正逆回転を制御される。押出モータ２１６の回転軸には本体部２１３と接触する接触部材２１６ａが配設される。押出モータ２１６は、変速ギアなどを備えることもある。
【００８０】
接触部材２１６ａは、例えば、ゴムを円筒状形成したものやまたは金属や樹脂を歯車状に形成したものである。なお、接触部材２１６ａ及び本体部２１３は、ラックアンドピニオン方式で接続されることが望ましい。
接触部材２１６ａと本体部２１３の間に働く摩擦力によって、本体部２１３がスライドレール２１２に沿って進退可能にスライドする。
【００８１】
（景品分別部２２０について）
図９に示すように景品分別部２２０は、枠体２２１、シャフト２２２、一対の保持部材２２３を備える。図１０に示すように景品分別部２２０は、分別床２２４を備える。分割床２２４は一対で配置されるが、図１０では、一対の内の一方の分割床２２４のみを図示している。他方の分割床２２４は、この一方の分割床２２４に対向して、景品挿入口２００ａを挟んだ反対側に配置される。
【００８２】
景品分別部２２０は、図９に示した景品挿入口２００ａから挿入された景品Ｗのうち、払出し対象の景品Ｗとそれ以外の非払出し対象の景品Ｗとを一対の分別床２２４によって分別する。この分別は、景品押出部２１０が景品Ｗを景品払出部２４０に押し出す前に行われる。
枠体２２１は、シャフト２２２、一対の保持部材２２３、一対の分別床２２４を保持する。
【００８３】
一対の保持部材２２３は、シャフト２２２に沿って互いに近づくように、または離れるように移動する。
一対の保持部材２２３は、互いに対応する形状・機能を備えるので、以下一対の内の一方について説明する。
【００８４】
図１０に示すように、保持部材２２３は、断面が略Ｌ字状に形成されている。保持部材２２３は、ガイド溝２２８及び傾斜面Ｓ２を備える。
ガイド溝２２８は、第１の部位２２８ａ、第２の部位２２８ｂ、第３の部位２２８ｃを備える。
【００８５】
ガイド溝２２８は、所定の深さ及び幅を有する溝である。ガイド溝２２８は、開口部１１２ｊと対向する保持部材２２３の表面に設けられる。ガイド溝２２８は、ベース保持部材２２３を景品押出部２１０側から景品払出部２４０側にかけて貫通している。
ガイド溝２２８に景品押出部２１０の腕部２１５ｂが挿入されることで、一対の保持部材２２３はシャフト２２２上をスライドする。
【００８６】
第１の部位２２８ａは、ベース部２００の長手方向に沿って、景品払出部２４０に向かって延びている。第２の部位２２８ｂは、第１の部位２２８ａの終端を基端として第１の部位２２８ａに対して斜めに延びる。また、第２の部位２２８ｂは、他方の保持部材２２３に向かって延びる。第３の部位２２８ｃは、第２の部位２２８ｂの終端を基端として、景品払出部２４０に向かって延びている。第３の部位２２８ｃは、第１の部位２２８ａの延びる方向に沿っている。
傾斜面Ｓ２は、景品挿入口２００ａから挿入された景品Ｗを階段状にずらす。傾斜面Ｓ２は、景品計数部２３０と対向している。
【００８７】
一対の分別床２２４は、板状に形成された本体部２２４ａを備える。
一対の分別床２２４は、ここでは図示を省略したリンク機構によって一対の保持部材２２３とそれぞれ接続されている。このリンク機構によって、一対の保持部材２２３が互いに近づくようにシャフト２２２上をスライドしたとき、一対の分別床２２４は、互いに離れるように移動する。
【００８８】
また、一対の保持部材２２３が互いに離れるようにシャフト２２２上をスライドしたとき、一対の分別床２２４は、互いに近づくように移動する。
一対の分別床２２４は、互いに近づくように移動した際、景品挿入口２００ａから挿入された景品Ｗの側部から本体部２２４ａを差し込み、払出し対象の景品Ｗと非払出し対象の景品Ｗを分別する。
【００８９】
（景品計数部２３０について）
図１０に示すように景品計数部２３０は、原位置センサ２３１、計数センサ２３２、整列壁部２３３、ソレノイド２３４、ソレノイド２３５、計数ピック２３６、押圧ピック２３７を備える。
【００９０】
景品計数部２３０は、景品押出部２１０及び景品分別部２２０に挟まれるように配置されている。景品計数部２３０が備える各部のうち、整列壁部２３３、計数ピック２３６、ソレノイド２３４，２３５は、景品分別部２２０の傾斜面Ｓ２に対して景品挿入口２００ａを挟んだ反対側に配置される。
【００９１】
景品計数部２３０は、払出し対象の景品Ｗを計数する。景品Ｗの計数は、景品分別部２２０の一対の分別床２２４が払出し対象の景品Ｗと非払出し対象の景品Ｗを分別する前に行われる。
【００９２】
払出し対象の景品Ｗを計数した後、景品計数部２３０は、一対の分別床２２４が払出し対象の景品Ｗと非払出し対象の景品Ｗを分別可能とするように、この払出し対象の景品Ｗと非払出し対象の景品Ｗとの間に隙間を形成する。この隙間に一対の分別床２２４の本体部２２４ａが差し込まれる。
【００９３】
原位置センサ２３１及び計数センサ２３２は、例えば、光センサなどの非接触センサや各種の接触センサである。
原位置センサ２３１は、レーン制御手段１０５が、払出し前の景品Ｗが待機位置（ホームポジション）にあるか否かを検知するために設けられる。ここでは、原位置センサ２３１は、景品挿入口２００ａと分別床２２４の間に配設されている。原位置センサ２３１は、上昇または下降してきた景品Ｗの側面を読み取ることで、最上の景品Ｗが自身（原位置センサ２３１）を通過したか否かを検知できる。
【００９４】
計数センサ２３２は、レーン制御手段１０５が、計数ピック２３６を検知するために設けられている。したがって、計数センサ２３２は、計数ピック２３６の近傍に配置される。
計数センサ２３２が、計数ピック２３６の動作に基づいて「ある」と検知した回数は、払い出される景品Ｗの枚数としてカウントされる。
原位置センサ２３１及び計数センサ２３２は、レーン制御手段１０５と接続されており、検知信号をレーン制御手段１０５に出力する。
【００９５】
整列壁部２３３は、図１１に示すように本体部２３３ａ、この本体部２３３ａに形成された押出板通過面２３３ｂ、開口２３３ｃ，２３３ｄ、傾斜面Ｓ３を備える。
本体部２３３ａは、景品押出部２１０の本体部２１３及び押出部２１５ｃが通過可能となるように略直方体形状の一部を切り欠いて全体として略Ｌ字状となるように形成されている。
【００９６】
開口２３３ｃ，２３３ｄは、本体部２３３ａに縦に並んで設けられており、傾斜面Ｓ３から裏面にかけて貫通している。図１０に示すように開口２３３ｃ，２３３ｄには、計数ピック２３６及び押圧ピックがそれぞれ裏面側から挿入されている。
傾斜面Ｓ３は、本体部２３３ａの表面の一部であり、景品分別部２２０の傾斜部材２２７や傾斜面Ｓ２と対向している。傾斜面Ｓ３は、傾斜面Ｓ２によって階段状にずらされた景品Ｗと接触して、接触した景品Ｗを下方から支持する。傾斜面Ｓ２と傾斜面Ｓ３の傾斜角度は異なる。
【００９７】
ソレノイド２３４，２３５は、これらが備える本体に設置されたコイル（図示せず）へ電流を流すことにより可動鉄心が本体に引き込まれる所謂プルタイプのソレノイドである。
ソレノイド２３４は、計数ピック２３６を退避させるために設けられる。退避とは、計数ピック２３６が景品Ｗと接触しないように付勢される状態を指す。この退避は、例えば景品Ｗの計数を一端取りやめるときや、景品Ｗをホームポジションに戻すときに行われる。同様に、ソレノイド２３５は、押圧ピック２３７を退避させるために設けられる。
【００９８】
計数ピック２３６は、整列壁部２３３の開口２３３ｃの後ろに、支点ｆを回転軸にして回転可能に設けられている。計数ピック２３６は、ここでは図示を省略した弾性手段（例えば、トーションばねや板ばね、などのばね材）によって傾斜面Ｓ２方向に常に付勢されている。
【００９９】
計数ピック２３６は、開口２３３ｃから分別床２２４が配置されている空間に向かって露出する。計数ピック２３６は、上昇してきた景品Ｗと接触して後退する。この結果、計数ピック２３６全体が支点ｆを回転軸として後退する。このとき計数ピック２３６は、計数センサ２３２と重なる。計数センサ２３２は、この計数ピック２３６の重なり動作の回数がＷの枚数としてカウントされる。
景品Ｗが通過すると、計数ピック２３６は、ばねの復元力により、元の位置に復帰する。そして、計数ピック２３６の上に計数済みの景品Ｗが載置される。
【０１００】
計数ピック２３６は、ソレノイド２３４の可動鉄心と接続されている。ソレノイド２３４が駆動され、可動鉄心がソレノイド２３４の本体に引き込まれる際、可動鉄心によって計数ピック２３６は引っ張られる。この結果、計数ピック２３６は、支点ｆを回転軸にして後退する。このとき、計数ピック２３６は、開口２３３ｃ内に引っ込むことになる（計数ピック２３６の退避動作）。
【０１０１】
押圧ピック２３７は、整列壁部２３３の開口２３３ｄ内に挿入されている。押圧ピック２３７は、計数ピック２３６と同様にここでは図示を省略したばね（例えば、トーションばねや板ばね）によって傾斜面Ｓ２方向に常に付勢されている。押圧ピック２３７は、開口２３３ｄ内を進退可能に移動する。
【０１０２】
押圧ピック２３７を、計数ピック２３６と同様に、所定の箇所に設けられた支点を回転軸にして回転可能に移動するように構成してもよい。
押圧ピック２３７は、計数ピック２３６と同様に上昇してきた景品Ｗと接触する。
【０１０３】
この結果、景品Ｗに押されて押圧ピック２３７は後退する。このとき、押圧ピック２３７は、ばねの復元力によって、接触した景品Ｗを傾斜面Ｓ２に押し付ける。
景品Ｗが通過すると、ばねの復元力により押圧ピック２３７は、元の位置に復帰する。
【０１０４】
押圧ピック２３７は、ソレノイド２３５の可動鉄心と接続されている。ソレノイド２３５が駆動され、可動鉄心がソレノイド２３５の本体に引き込まれる際、可動鉄心によって押圧ピック２３７は引っ張られる。この結果、押圧ピック２３７は、後退する。このとき、押圧ピック２３７は、先端部まで開口２３３ｄ内に引っ込むことになる（押圧ピック２３７の退避動作）。
【０１０５】
（景品払出部２４０について）
景品払出部２４０は、載置台２４１、取忘センサ２４２、壁２４３、計数チェックセンサ２４４、駆動モータ２４５、スライドレール２４６、センサ２４７ａ，２４７ｂを備える。
【０１０６】
載置台２４１は、本体部２４１ａ及び延設部２４１ｂを有している。載置台２４１は、スライドレール２４６に沿って上部ユニット１１３内を垂直方向に昇降可能に設けられており、景品押出部２１０によって押し出された景品Ｗを景品払出口１００ｄまで上昇させて遊技客に払い出す。
【０１０７】
本体部２４１ａは、載置面２４１ｃ及び孔２４１ｄを備える。本体部２４１ａは、景品分別部２２０に隣接している。本体部２４１ａは、景品払出口１００ｄと対応する位置（垂直方向に延長した位置）に配設されている。
載置面２４１ｃは、景品払出口１００ｄに対向する面であり、景品押出部２１０によって押し出された景品Ｗが載置される。
【０１０８】
押し出された景品Ｗが引っかからないように、載置面２４１ｃは、分別床２２４の表面と略同一平面上に配置されることが望ましい。または、載置面２４１ｃは、分別床２２４の表面よりも低い位置にあってもよい。
孔２４１ｄは、載置面２４１ｃからこの載置面２４１ｃの反対側の面に向かって設けられている。孔２４１ｄ内には、取忘センサ２４２が配設される
【０１０９】
取忘センサ２４２は、例えば、光センサなどの非接触センサや各種の接触センサである。取忘センサ２４２は、載置面２４１ｃに景品Ｗが載置されているか否かをレーン制御手段１０５が判定するために設けられる。
取忘センサ２４２は、レーン制御手段１０５と接続されており、検知信号をレーン制御手段１０５に出力する。
【０１１０】
延設部２４１ｂは、載置台２４１において本体部２４１ａ以外の部位である。図９に示すように、延設部２４１ｂは、所々が屈曲しており、全体が略Ｌ字状または略凹字状に形成されている。延設部２４１ｂは、本体部２４１ａと接続し、かつ景品分別部２２０のシャフト２２２と平行する部位２４１ｅと、この部位２４１ｅから略直角方向に曲げられ、下部筐体１１２ａ（図示せず）に向かって延びる垂直の部位２４１ｆを有している。
【０１１１】
部位２４１ｅの部位２４１ｆとは逆側の端部は、スライドレール２４６に移動可能に取付けられている。
延設部２４１ｂの側面２４１ｇは、駆動モータ２４５と接触している。駆動モータ２４５が回転することによって部位２４１ｆは、垂直方向に移動する。この結果、載置台２４１全体がスライドレール２４６にガイドされながら垂直方向に移動する。
【０１１２】
部位２４１ｆの表面において景品分別部２２０側の隅部（部位２４１ｅとの境界部）には、接触端子２４１ｈが設けられる。
接触端子２４１ｈは、円柱形状を有している。接触端子２４１ｈの側面（曲面）は、払出口開閉部２５０の一部（後述する板部材である押圧板２５２）と接触している。
【０１１３】
スライドレール２４６は載置台２４１の移動方向をガイドする。スライドレール２４６は、部位２４１ｆと並行するようにベース部２００を貫通している。
【０１１４】
壁２４３は、載置台２４１を囲うように設けられている。
壁２４３の景品分別部２２０側の壁面は、景品Ｗの移動を阻害しないように開口している。この開口に対して載置台２４１を挟んで対向する逆側の壁面は、景品押出部２１０に押圧されて移動してきた景品Ｗと接触し、景品Ｗが載置台２４１から脱落することを防止する。また、この壁面に景品Ｗが押し付けられることで、景品Ｗの水平方向（ここでは景品Ｗの押し出し方向に沿う方向）のズレを直すことができる。
【０１１５】
計数チェックセンサ２４４は、例えば、光センサなどの非接触センサや各種の接触センサである。計数チェックセンサ２４４は、載置台２４１に載置された景品Ｗが、払出し対象の枚数と一致するか否かをレーン制御手段１０５が判定するために設けられる。
計数チェックセンサ２４４は、壁２４３に配設される。計数チェックセンサ２４４は、上昇した載置台２４１に載置された景品Ｗを個別に検知する。
計数チェックセンサ２４４は、レーン制御手段１０５と接続されており、検知信号をレーン制御手段１０５に出力する。
【０１１６】
駆動モータ２４５は、例えば、ＤＣモータであり、レーン制御手段１０５によって正逆回転を制御される。
駆動モータ２４５の回転軸には延設部２４１ｂの側面２４１ｇと接触する接触部材２４５ａが配設される。駆動モータ２４５は、変速ギアを備えることもある。
【０１１７】
接触部材２４５ａは、例えば、ゴムを円筒状または歯車状に形成したものである。接触部材２４５ａ及び延設部２４１ｂの側面２４１ｇは、ラックアンドピニオン方式で接続されることが望ましい。
【０１１８】
接触部材２４５ａの上側には、緩衝部材２４５ｂが設けられる。緩衝部材２４５ｂは、例えば、ゴムを円筒状に形成したものである。緩衝部材２４５ｂは、払出口開閉部２５０の一部（後述する板部材である押圧板２５２）と接触する。緩衝部材２４５ｂは、押圧板２５２と接触した際の衝撃を吸収する。
なお、緩衝部材２４５ｂを接触部材２４５ａと接触させて、接触部材２４５ａの回転に同期させて緩衝部材２４５ｂを回転させてもよい。緩衝部材２４５ｂが回転することによって、押圧板２５２に対して景品分別部２２０方向に向かう力を加えることができる。その場合には、接触部材２４５ａ及び緩衝部材２４５ｂは、真鍮やプラスチックにより歯車状にして形成してもよいし、各々が異なる素材で異なる形状としてもよい。
【０１１９】
センサ２４７ａ，２４７ｂは、例えば、光センサなどの非接触センサや各種の接触センサである。
センサ２４７ａ，２４７ｂは、レーン制御手段１０５が、載置台２４１が上昇限界位置にあるか、または、下降限界位置（ホームポジション）にあるかを検知するために設けられる。具体的には、センサ２４７ａ，２４７ｂは、対面に延設部２４１ｂの側面２４１ｇがあるか否かを検知する。ここで「上昇限界位置」とは、景品払出口１００ｄから、載置台２４１上の全ての景品Ｗが露出し、遊技客が苦労なく景品Ｗを取り出せる位置を指す。「下降限界位置」とは、図１０に示したように載置台２４１の本体部２４１ａがベース部２００に載置される位置である。
【０１２０】
センサ２４７ａは、載置台２４１の上昇限界位置に配設される。ここでは、センサ２４７ａは、スライドレール２４６のシャッター部２６０側の一端部の近傍に配置されている。
センサ２４７ｂは、載置台２４１の下降限界位置に配設される。ここでは、センサ２４７ｂは、下部筐体１１２ａの所定の箇所に設けられる。
センサ２４７ａ，２４７ｂは、レーン制御手段１０５と接続されており、検知信号をレーン制御手段１０５に出力する。
【０１２１】
（払出口開閉部２５０について）
図９に示すように払出口開閉部２５０は、保持板２５１、押圧板２５２を備える。
払出口開閉部２５０は、シャッター部２６０の蓋体２６４を移動させて、景品払出口１００ｄを露出させる。
【０１２２】
保持板２５１は、ベース部２００に設けられている。保持板２５１の表面２５１ａは、載置台２４１の部位２４１ｆの表面と同じ方向を向いている。表面２５１ａには弧状の貫通孔２５１ｂが形成されている。
【０１２３】
。
貫通孔２５１ｂは、支点ｆを中心とする仮想的な円の円周上に沿って配設されている。貫通孔２５１ｂは、押圧板２５２が脱落してしまわないように保持するために設けられる。
【０１２４】
押圧板２５２は、薄板形状に形成され、表面２５２ａ（少なくとも載置台２４１の上昇方向に延びる面）、第１の側面２５２ｂ、第２の側面２５２ｃ、複数の貫通孔２５２ｄを備える。さらに押圧板２５２は、係止突起２５２ｅを備える。
押圧板２５２は、支点ｆを軸として回転可能に保持板２５１に設けられる。押圧板２５２は、例えばトーションばねによって景品分別部２２０とは逆側に常時付勢されるように設けることができる。
【０１２５】
図９では、景品Ｗの払出しがまだ行われていない状態を示しており、載置台２４１は上昇していない。このとき押圧板２５２は、初期状態として、第１の側面２５２ｂが載置台２４１の上昇方向に対して所定の角度（例えば４５°）となるように付勢される。
【０１２６】
表面２５２ａは、保持板２５１の表面２５１ａと同じ方向を向いている。
第１の側面２５２ｂの一端側は、載置台２４１の延設部２４１ｂに設けられた接触端子２４１ｈと接触する。第１の側面２５２ｂの他端側は、緩衝部材２４５ｂと接触する。
【０１２７】
第２の側面２５２ｃは、第１の側面２５２ｂの反対側に位置する。第２の側面２５２ｃと第１の側面２５２ｂは、互いに略ハ字状となるように、異なる所定の角度をもって設けられている。
第２の側面２５２ｃは、押圧板２５２が回転した際、ここでは図示を省略したシャッター部２６０と接触して、シャッター部２６０を水平方向に押圧する。
【０１２８】
複数の貫通孔２５２ｄは、表面２５２ａに設けられている。複数の貫通孔２５２ｄは、軽量化のために設けられる。
係止突起２５２ｅは、例えば略円柱形状に形成される。係止突起２５２ｅは、表面２５２ａから保持板２５１に向かって突出する。
【０１２９】
係止突起２５２ｅの先端は、保持板２５１の貫通孔２５１ｂに挿入される。係止突起２５２ｅは、押圧板２５２が回転した際、貫通孔２５１ｂに沿って、この貫通孔２５１ｂ内を移動する。
係止突起２５２ｅの先端部は、係止突起２５２ｅが、貫通孔２５１ｂから脱落してしまうことを防止するためにフランジ状に形成されることが望ましい。
【０１３０】
以上のように構成された払出口開閉部２５０では、載置台２４１の上昇に伴い、接触端子２４１ｈによって、第１の側面２５２ｂが景品分別部２２０方向に押圧される。この結果、押圧板２５２全体が、支点ｆを軸として景品分別部２２０側に回転する。
そして、第２の側面２５２ｃがシャッター部２６０を水平方向に押圧する。この結果、シャッター部２６０の蓋体２６４による景品払出口１００ｄの閉鎖が解除され、景品払出口１００ｄが露出する。
【０１３１】
なお、駆動モータ２４５の接触部材２４５ａの回転に同期して緩衝部材２４５ｂが回転する場合、第１の側面２５２ｂには、景品分別部２２０方向に向かう力が加えられる。このことにより押圧板２５２を押圧する載置台２４１の負担が軽減される。
【０１３２】
（シャッター部２６０について）
図１２に示すようにシャッター部２６０は、一対のガイドレール２６１、ベース部２６２（基台）、一対の摺動部材２６３、蓋体２６４、押圧板接触部２６５、ばね部２６６を備える。シャッター部２６０は、図１３に示すように４つの支持部材２６７（接続部材）、一対の摺動部材２６８を備える。なお、図１３、図１４では、図面を見やすくするためにばね部２６６や一対のガイドレール２６１の図示を省略している。
図１２に示すように、シャッター部２６０は、上部ユニット１１３内において、排出天板１００ａに設けられる。
【０１３３】
一対のガイドレール２６１は、排出天板１００ａに固定されている。一対のガイドレール２６１は、断面が凹字状に形成されており、互いに凹部を対向させて、かつ所定の距離をあけて設けられる。一対のガイドレール２６１は、図９に示したベース部２００の長手方向に沿って延びる。一対のガイドレール２６１には、ベース部２６２及び押圧板接触部２６５が移動自在に取付けられる。一対のガイドレール２６１は、ベース部２６２及び押圧板接触部２６５の移動方向をガイドする。
【０１３４】
ベース部２６２は、長手部と短手部を有する箱状に形成されている。ベース部２６２は、底面部２６２ａ、側面部２６２ｂ〜２６２ｅ（第１の側面部）を有している。ベース部２６２には、押圧板接触部２６５及び蓋体２６４が取付けられる。
【０１３５】
底面部２６２ａの表面（第１の面）は、短辺と長辺を有する略長方形状を有している。底面部２６２ａの払出口開閉部２５０側には略長方形状の開口２６２ｆ（第２の開口）が形成されている。
開口２６２ｆは、景品払出口１００ｄと対応する形状を有している。開口２６２ｆは、景品払出口１００ｄよりも若干広く（大きく）形成されることが望ましい。開口２６２ｆには、景品Ｗ及び載置台２４１が出入れ自在に挿入される。
【０１３６】
側面部２６２ｂ〜２６２ｅは、それぞれ略長方体形状を有している。
側面部２６２ｂ、２６２ｃは、底面部２６２ａの短辺に沿っており、底面部２６２ａを挟んで互いに対向している。
側面部２６２ｂは、開口２６２ｆに隣接しており、払出口開閉部２５０と対向している。側面部２６２ｂには、開口２６２ｆに連通する切欠２６２ｇが形成されている。
【０１３７】
切欠２６２ｇは、上昇した載置台２４１の延設部２４１ｂとベース部２６２が互いに干渉しないために設けられる。
側面部２６２ｄ、２６２ｅは、底面部２６２ａの長辺に沿っており、底面部２６２ａを挟んで互いに対向している。
【０１３８】
図１３に示すように、側面部２６２ｄ、２６２ｅには、支持部材２６７を介して蓋体２６４が回動可能に取付けられる。側面部２６２ｄ、２６２ｅは、対応する形状及び構成を有しており、以下、側面部２６２ｄについて詳細に説明し、側面部２６２ｅの詳細な説明は省略する。
側面部２６２ｄには、貫通孔２６２ｈ、２６２ｉ、切欠２６２ｊ、一対の内の一方の摺動部材２６３が設けられる。
【０１３９】
貫通孔２６２ｈ、２６２ｉ、切欠２６２ｊは、蓋体２６４の回動をガイドする。貫通孔２６２ｈ、２６２ｉは、切欠２６２ｊを挟むように配置されている。貫通孔２６２ｈ、２６２ｉ、切欠２６２ｊは、それぞれ対応する形状を有している。
【０１４０】
貫通孔２６２ｈ、２６２ｉの一部は、蓋体２６４の回動方向に沿って弧状に形成されている。この弧状の部分は、支点ｆを中心とする仮想的な円の円周上に沿っている。
同様に切欠２６２ｊの一部も蓋体２６４の回動方向に沿って弧状に形成されている。
【０１４１】
一対の摺動部材２６３は、例えば、ゴム、プラスチック、金属などを略円柱形状に形成したものである。
図１２に示すように一対の摺動部材２６３は、一対のガイドレール２６１の凹部にそれぞれ挿入される。一対の摺動部材２６３は、この凹部と摺動して、一対のガイドレール２６１と相対的に移動する。一対の摺動部材２６３を、一対のガイドレール２６１の凹部内を転動可能なように構成してもよい。
【０１４２】
図１３に示すように蓋体２６４は、略直方体形状を有しており、表面２６４ａ（第３の面）、側面２６４ｂ〜２６４ｅ（第２の側面部）を備えている。
蓋体２６４は、ベース部２６２内（底面部２６２ａ、側面部２６２ｂ〜２６２ｅに囲まれた空間内）に配置される。蓋体２６４は、ベース部２６２の側面部２６２ｃ側に寄っている。
蓋体２６４は、支持部材２６７を介してベース部２６２に回動可能に取付けられており、表面２６４ａの反対側の面（第２の面）と底面部２６２ａとの間には、所定の高さの隙間が空けられている。
【０１４３】
蓋体２６４は、景品Ｗの払出しが行われていないときは、景品払出口１００ｄを閉鎖し、景品Ｗの払出しの際には、図１４に示すように排出天板１００ａの下側に引っ込み、景品払出口１００ｄを露出させる。
【０１４４】
景品払出口１００ｄを閉鎖しているとき、表面２６４ａは、景品払出口１００ｄから露出する。このとき表面２６４ａは、排出天板１００ａの上面と面一となることが望ましい。
側面２６４ｂ〜２６４ｅは、一部がベース部２６２の側面部２６２ｂ〜２６２ｅに覆われており、他部は側面部２６２ｂ〜２６２ｅから外に露出している。この露出している他部は、図１０に示すように景品払出口１００ｄの壁面に囲まれている。
【０１４５】
側面２６４ｂは、ベース部２６２の開口２６２ｆ側に位置し、ベース部２６２の側面部２６２ｂと対向している。
側面２６４ｃ（第２の接触部）は、側面２６４ｂの反対側の面であり、ベース部２６２の側面部２６２ｃと対向している。
側面２６４ｄは、側面２６４ｂ及び側面２６４ｃの一端側同士を接続しており、ベース部２６２の側面部２６２ｄと対向している。側面２６４ｄは、ベース部２６２の側面部２６２ｄに設けられた貫通孔２６２ｈ、２６２ｉ、切欠２６２ｊとも対向している。
側面２６４ｄには、支持部材２６７及び、一対の内の一方の摺動部材２６８が設けられている。
【０１４６】
側面２６４ｅは、側面２６４ｄの反対側の面であり、側面２６４ｂ及び側面２６４ｃの他端側同士を接続している。側面２６４ｅは、ベース部２６２の側面部２６２ｅと対向している。側面２６４ｅは、ベース部２６２の側面部２６２ｅに設けられた貫通孔２６２ｈ（図示せず）、２６２ｉ、切欠２６２ｊ（図示せず）とも対向している。
側面２６４ｅには、側面２６４ｄと同様に、支持部材２６７及び一対の内のもう一方の摺動部材２６８が設けられる。
【０１４７】
４つの支持部材２６７は、略直方体形状でかつ薄板形状を有している。支持部材２６７は、ベース部２６２と蓋体２６４を接続する。
４つの内の２つの支持部材２６７の一端は、ベース部２６２の側面部２６２ｄに支点ｆを軸として回動可能に設けられる。そして、この２つの支持部材２６７の他端側は、係止突起２６７ｂによって蓋体２６４の側面２６４ｄに回転可能に設けられる。
同様に、残りの支持部材２６７は、ベース部２６２の側面部２６２ｅ及び蓋体２６４の側面２６４ｅに設けられる。蓋体２６４の側面２６４ｅにも図示を省略した係止突起２６７ｂが設けられる。
【０１４８】
このように支持部材２６７が、ベース部２６２と蓋体２６４に対して回動可能に設けられることで、結果として、ベース部２６２と蓋体２６４は互いに相対的に回動する。
支持部材２６７は、ばね２６７ｃ（弾性体）によって、蓋体２６４が景品払出口１００ｄを閉鎖しているときは、底面部２６２ａに対して起立した状態に付勢される。支持部材２６７は、景品Ｗの払出しが行われているときは、図１４に示すように、底面部２６２ａに沿うように倒れた状態に付勢される。ばね２６７ｃは、例えばトーションばねである。
【０１４９】
係止突起２６７ｂは、例えば略円柱形状に形成される。係止突起２６７ｂは、支持部材２６７を貫通して、蓋体２６４の側面２６４ｄ（または側面２６４ｅ）から、ベース部２６２の側面部２６２ｄ（または側面２６２ｅ）の貫通孔２６２ｈ（または側面２６２ｉ）に向かって突出する。
【０１５０】
係止突起２６７ｂは、貫通孔２６２ｈ（または貫通孔２６２ｉ）に挿入される。係止突起２６７ｂは、蓋体２６４がベース部２６２に対して回動した際、貫通孔２６２ｈ（または貫通孔２６２ｉ）の弧状の淵部に沿って、この貫通孔２６２ｈ（または貫通孔２６２ｉ）内を移動する。
係止突起２６７ｂの先端部は、係止突起２６７ｂが、貫通孔２６２ｈ（２６２ｉ）から脱落してしまうことを防止するためにフランジ状に形成されることが望ましい。
【０１５１】
一対の摺動部材２６８は、蓋体２６４がベース部２６２に対して回動した際、ベース部２６２の切欠２６２ｊに沿って移動する。一対の摺動部材２６８は、回動時に、蓋体２６４がグラついてしまうことを抑えるために設けられる。
【０１５２】
図１２に示すように押圧板接触部２６５は、長手部と短手部を有し、全体として略凹字状でかつ薄板状に形成されている。押圧板接触部２６５の長手方向とベース部２６２の長手方向は一致する。押圧板接触部２６５は、底面部２６５ａ、側面部２６５ｂ、２６５ｃを有している。
押圧板接触部２６５は、押圧板２５２（図９参照）によって押圧される。この結果、ベース部２６２など（ベース部２６２、このベース部２６２に取り付けられた蓋体２６４、押圧板接触部２６５）が一体的に、排出天板１００ａに対して略水平に移動する。
【０１５３】
底面部２６５ａは、ベース部２６２の底面部２６２ａと同じ方向を向いている。底面部２６５ａは、表面（排出天板１００ａとは逆側の面）及びその裏面（排出天板１００ａと対向する面）を有する。底面部２６５ａの裏面には、ばね部２６６のばね２６６ｂが接続される。
【０１５４】
図１３に示すように底面部２６５ａの払出口開閉部２５０に対向する一端側には、長手方向に沿って切欠２６５ｄが形成されている。この切欠２６５ｄには、押圧板２５２が出入れ自在に挿入される。
【０１５５】
図１２に示すように側面部２６５ｂ、２６５ｃは、略長方体形状を有している。側面部２６５ｂ、２６５ｃは、底面部２６５ａの長辺に沿っており、底面部２６５ａを挟んで互いに対向している。
側面部２６５ｂ、２６５ｃは、底面部２６５ａの表面から下に向かって突出している。
側面部２６５ｂは、ベース部２６２の側面部２６２ｅに取付けられる。この結果、押圧板接触部２６５は、ベース部２６２に固定される。
【０１５６】
側面部２６５ｃには一対の内の一方の摺動部材２６３が設けられる。
側面部２６５ｂ、２６５ｃ間には、切欠２６５ｄから一部が露出するように接触部材２６５ｅが設けられる。
接触部材２６５ｅは、例えば、ゴム、プラスチック、金属などを略円柱形状に形成したものである。
【０１５７】
ばね部２６６は、ばね保持板２６６ａ及びばね２６６ｂを備える。
ばね保持板２６６ａは、薄板形状を有している。ばね保持板２６６ａは、排出天板１００ａから下に向かって突出している。ばね保持板２６６ａは、ベース部２６２の側面部２６２ｂと同じ方向を向いている。ばね保持板２６６ａは、押圧板接触部２６５の接触部材２６５ｅと対向している。
【０１５８】
ばね保持板２６６ａには、ばね２６６ｂの一端側が取付けられる。
ばね２６６ｂは、例えば、コイルばねである。ばね２６６ｂは、ばね保持板２６６ａと押圧板接触部２６５を接続する。ばね２６６ｂは、押圧板接触部２６５をばね保持板２６６ａ側に引っ張っている。「ばね保持板２６６ａ側」とは、払出口開閉部２５０の押圧板２５２が、押圧板接触部２６５を押圧する方向の反対側を意味する。
【０１５９】
ベース部２６２などが移動したとき、ばね２６６ｂは、押圧板接触部２６５に引っ張られる。
払出口開閉部２５０の押圧板２５２による押圧が解除されると、ばね２６６ｂは、復元力によって元の状態に復帰する。したがってこのとき、ばね２６６ｂは、押圧板接触部２６５をばね保持板２６６ａ側に引っ張る。この結果、ベース部２６２などが元の位置まで戻される。「元の位置」とは、蓋体２６４が景品払出口１００ｄを閉鎖する位置である。
なお、ばね２６６ｂは、上記した機能を有する物であれば、コイルばねでなくともよい。
【０１６０】
（蓋体２６４の開閉動作について）
以上の構成されたシャッター部２６０の蓋体２６４の開閉動作について説明する。
上記したように、景品Ｗの払出しが行われていないときは、蓋体２６４は景品払出口１００ｄを閉鎖している（図１３参照）。
【０１６１】
景品Ｗの払出しの際、図１５に示すように、載置台２４１は、上昇する。このとき、載置台２４１は、接触端子２４１ｈによって払出口開閉部２５０の押圧板２５２の第１の側面２５２ｂを押圧しながら上昇する（図中の矢印Ａ１参照）。この結果、押圧板２５２が、シャッター部２６０の押圧板接触部２６５に向かって回動する（図中の矢印Ａ２参照）。
【０１６２】
押圧板２５２の第２の側面２５２ｃは、押圧板接触部２６５の切欠２６５ｄに挿入されて、接触部材２６５ｅを押圧する。この結果、押圧板接触部２６５が、コイルばね２６６ｂを引っ張りながら、ベース部２６２などが排出天板１００ａに対して略水平に移動を始める（図中の矢印Ａ３参照）。
【０１６３】
このとき、蓋体２６４の側面２６４ｃは、図１０に示すように、対向する景品払出口１００ｄの壁面（接触部）と接触する。ベース部２６２などの移動に伴って、蓋体２６４は、景品払出口１００ｄの壁面によって、この移動する方向とは逆方向に押圧される。また例えば、蓋体２６４の側面２６４ｃと対向する景品払出口１００ｄの壁面が接触されることにより蓋体２６４を押圧するのではなく、一対の摺動部材２６８を押圧してもよい。この場合、景品払出口１００ｄの側面や近傍に一対の摺動部材２６８と接触する接触部材を設け、一対の摺動部材２６８を押圧するように構成することができる。この接触部材として、例えば、レール状の部材や、図１２に示したばね保持板２６６ａのような板状の部材が考えられる。例えば、レール状の部材は、図１３に示した側面部２６２ｄ，２６２ｅに沿っており、かつ切欠２６２ｊに沿う屈曲部を備え、一対の摺動部材２６８の移動をガイドする。一対の摺動部材２６８は、板状の部材に押圧されてレール状の部材に沿って移動する。
【０１６４】
このように蓋体２６４が押圧されると、蓋体２６４に引っ張られるように支持部材２６７（図１４参照）が支点ｆを軸としてベース部２６２の開口２６２ｆ方向に回転する。結果的に、蓋体２６４が、ベース部２６２内に収容されるように移動する。このとき、ばね２６７ｃの復元力により、支持部材２６７及び蓋体２６４を元の位置に復帰させる力が働くが、蓋体２６４の表面２６４ａが排出天板１００ａに押さえつけられるので、支持部材２６７及び蓋体２６４は図１４に示した状態に維持される。
【０１６５】
またこのとき、ばね２６６ｂ（図１２参照）の復元力により、押圧板接触部２６５などを元の位置に復帰させる力が働くが、景品Ｗの払出し中は、常に押圧板２５２が押圧板接触部２６５を押圧しているため、押圧板接触部２６５などが元の位置に復帰することはない。
【０１６６】
最終的に、蓋体２６４は、排出天板１００ａの下側に全体が引っ込み、景品払出口１００ｄが露出する。このとき、ベース部２６２の開口２６２ｆは、景品払出口１００ｄと対応する位置に移動するので、景品Ｗ及び載置台２４１は、開口２６２ｆを通過して景品払出口１００ｄまで上昇することができる。
【０１６７】
景品Ｗの払出しが終了し、載置台２４１が下降した場合、ばね２６６ｂの復元力により押圧板接触部２６５が引っ張られ、押圧板接触部２６５は、押圧板２５２を復帰方向に押圧する。押圧された押圧板２５２は、やがて自重により図９に示した位置まで自然に復帰する。
なお、押圧板２５２を保持板２５１に取り付ける際に、ばねを用いた場合、押圧板２５２は、ばねの復元力によって図９に示した位置まで復帰する。
最終的に、ベース部２６２などは、元の位置に復帰し、蓋体２６４は、景品払出口１００ｄを閉鎖する。
以上が、第１の実施形態に係る景品払出装置１７の構成についての説明である。
【０１６８】
（景品Ｗの計数及び移動について）
次に、景品払出装置１７による払出し対象の景品Ｗの計数及び載置台２４１までの移動について図１６、図１７を用いて説明する。図１６は、景品Ｗの計数動作を説明するための一部断面図である。図１６では、景品Ｗについて、上から順にＷ１〜Ｗ５、Ｗｎの符号を付している。図１７は、景品Ｗの移動について説明するための斜視断面図（図９のＡ−Ａ断面）である。
【０１６９】
図１６は、連結された計数部１７０及び景品搬送部１８０によって景品Ｗが、下部筐体１１２ａの開口部１１２ｊ及びベース部２００の景品挿入口２００ａを介して上部ユニット１１３内に搬送されているところを示している。すなわち、上昇した景品Ｗのうち、払出し対象の景品Ｗの一端側が計数ピック２３６を乗り越えて、一端側が計数ピック２３６上に保持された状態を示している。
【０１７０】
ここでは、一例として、払出指示信号に払い出される景品Ｗの枚数が４枚であることを示す情報が含まれている。この払出指示信号に基づいて景品Ｗ１〜Ｗ４が遊技客に払い出される。
【０１７１】
景品Ｗが上昇すると、景品Ｗの側面が押圧ピック２３７と接触する。押圧ピック２３７は景品Ｗを水平方向に押して、傾斜面Ｓ２に押し付ける。
なお、このとき、一対の保持部材２２３は、互いに接近した状態であり、一対の分別床２２４は互いに離れている。したがって、一対の分別床２２４が、景品Ｗの上昇に干渉することはない。
【０１７２】
傾斜面Ｓ２に押し付けられた景品Ｗは、傾斜面Ｓ２と接触しつつ、傾斜面Ｓ２に沿って上昇していく。景品Ｗは、全体として景品Ｗ１から順に整列壁部２３３方向に突き出るように階段状にずれながら上昇していくことになる。これにより、密接して積層収容されていた景品Ｗ毎の境が明確になる。
【０１７３】
景品Ｗは、押圧ピック２３７を通過すると、傾斜面Ｓ３と接触する。
傾斜面Ｓ３は、傾斜面Ｓ２よりも傾斜が急なため、景品Ｗは、傾斜面Ｓ３側が持ち上がるように傾いた姿勢で上昇していく。
【０１７４】
このとき、押圧ピック２３７によって傾斜面Ｓ２に押し付けられた景品Ｗｎは、全体的に略水平姿勢を保っている。したがって、傾斜面Ｓ３側において、景品Ｗｎとその直上の景品Ｗとの間には隙間が形成される。このように押圧ピック２３７を備えることにより、容易に景品Ｗ間に隙間を形成することができる。景品Ｗ間に隙間が形成されることで更に景品Ｗ毎の境が明確になる。
【０１７５】
上昇した景品Ｗは、計数ピック２３６と接触する。計数ピック２３６は、景品Ｗに押されて、支点ｆを回転軸として後退し計数センサ２３２と重なる。この結果、計数センサ２３２は、計数ピック２３６があることを検知する。計数センサ２３２は、このあることを示す検知信号をレーン制御手段１０５に出力する。この結果、レーン制御手段１０５によって、計数ピック２３６が計数センサ２３２と重なった回数が、払出し対象の景品Ｗの枚数として計数される。
【０１７６】
景品Ｗが通過すると、計数ピック２３６は、ばねの復元力により、元の位置に復帰しようとする。この結果、計数ピック２３６は、計数センサ２３２から離れる。
【０１７７】
計数センサ２３２を通過した景品Ｗの一端側は、計数ピック２３６上に載置される。このとき、計数ピック２３６の先端は、払出し対象の景品Ｗと非払出し対象の景品Ｗの間に介在する。
【０１７８】
４枚目の景品Ｗ４が、計数ピック２３６を通過し、払出し対象の景品Ｗの枚数が４枚としてカウントされると景品Ｗの上昇は停止する。このとき、払出し対象である景品Ｗ１〜Ｗ４は計数ピック２３６上に載置された状態である。
【０１７９】
この後、払出し対象である景品Ｗ１〜Ｗ４と、非払出し対象である景品Ｗ５との間に隙間を形成するために、連結された計数部１７０及び景品搬送部１８０が若干下降する（図中の矢印Ａ１参照）。
この後、図１７に示すように景品押出部２１０の押出板２１５（本体部２１３）が前進して、払出し対象の景品Ｗ１〜Ｗ４を載置台２４１まで押圧する。
【０１８０】
このとき、景品押出部２１０の腕部２１５ｂが一対の保持部材２２３のガイド溝２２８を通過することによって、一対の保持部材２２３はシャフト２２２上を互いに離れる方向にスライドする。したがって、一対の保持部材２２３が景品Ｗ１〜Ｗ４の移動に干渉することがない。
最終的に景品Ｗ１〜Ｗ４が載置台上に載置される。
以上が、景品Ｗの計数及び移動についての説明である。
【０１８１】
（主制御手段１０４について）
次に図１８を参照して主制御手段１０４の機能について説明する。図１８は、主制御手段１０４の機能を示す機能ブロック図である。
【０１８２】
図１８に示すように主制御手段１０４は、制御部１０４ａ、ボタン検知手段１０４ｂ、指示信号生成部１０４ｃ、払出指示部１０４ｄ、通信部１０４ｅを備える。なお、制御部１０４ａ、ボタン検知手段１０４ｂ、指示信号生成部１０４ｃ、払出指示部１０４ｄ、通信部１０４ｅのうちの少なくとも一部をＰＯＳ１９、管理装置２５、ＰＣ４１が有してもよい。
【０１８３】
主制御手段１０４は、レーン制御手段１０５よりも上流の制御装置であり、レーン制御手段１０５に対して制御信号を送信して、景品Ｗの払出しや在庫の計数などの種々の制御を行わせる。主制御手段１０４は、点灯部１０３、表示ユニット１０６及び操作表示パネル１０７なども制御できる。
主制御手段１０４は、通信部１０４ｅを介して管理装置２５、ＰＯＳ１９、ＰＣ４１などと種々の信号を送受信する。例えば、払出指示信号などを受信する。主制御手段１０４は、取出指示信号を受信することもある。
主制御手段１０４は、計数した景品Ｗの枚数を示す情報を管理装置２５、ＰＯＳ１９、ＰＣ４１などに出力することもできる。
【０１８４】
主制御手段１０４は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。
制御部１０４ａはボタン検知手段１０４ｂ、指示信号生成部１０４ｃ、払出指示部１０４ｄ、通信部１０４ｅを制御する。
【０１８５】
制御部１０４ａは、図７に示したキャッチ手段１３４と接続されており、各レーンにおいて、景品カートリッジ１１１が景品カートリッジ挿入口１１２ｅに適切に挿入されているかを判定することができる。景品カートリッジ１１１が景品カートリッジ挿入口１１２ｅに適切に挿入されていなかった場合、制御部１０４ａは、そのレーンの景品Ｗの払出しや在庫計数を行わないようレーン制御手段１０５を制御する。なおこの判定を、レーン制御手段１０５が行ってもよい。
【０１８６】
制御部１０４ａは、図３、図４に示した施錠機構１０９ｂ、開扉検知手段１０９ｃなどと接続されており、施錠機構１０９ｂが解錠されているか否かや背面扉１０９の開閉状態を判別することができる。施錠機構１０９ｂや背面扉１０９が開いていた場合、景品Ｗの景品Ｗの在庫計数や払出しは行われない。
【０１８７】
ボタン検知手段１０４ｂは、ボタン群１０７ｅの各ボタンの操作を検知する。例えば、払出しボタンの押下操作や払い出す景品Ｗの枚数の入力操作を検知する。ボタン検知手段１０４ｂは、これらの入力操作を指示信号生成部１０４ｃに通知する。
指示信号生成部１０４ｃは、ボタン検知手段１０４ｂから送信された通知を受信すると、制御部１０４ａに対して払出指示信号を出力する。この払出指示信号には、景品Ｗの種類や数の情報が含まれている。
【０１８８】
払出指示部１０４ｄは、指示信号生成部１０４ｃ、ＰＯＳ１９、管理装置２５、ＰＣ４１などから出力された払出指示信号を制御部１０４ａが受信したことに対応してレーン制御手段１０５を制御して景品Ｗを遊技客に払い出させる。
【０１８９】
通信部１０４ｅには、ＬＡＮケーブルやＰＯＳ１９と接続される専用ケーブル、レーン制御手段１０５及び各種センサなどとの配線が接続される。このことによって、主制御手段１０４は、ネットワーク３、ＰＯＳ１９、レーン制御手段１０５などと接続され、種々の信号が送受信できる。
【０１９０】
（レーン制御手段１０５について）
次に図１９を参照してレーン制御手段１０５の機能について説明する。図１９は、レーン制御手段１０５の機能を示す機能ブロック図である。
【０１９１】
図１９に示すように、レーン制御手段１０５は、制御部１０５ａ、搬送制御部１０５ｂ、昇降制御部１０５ｃ、計数演算部１０５ｄ、エラー判定部１０５ｅ、景品押出制御部１０５ｆ、載置台制御部１０５ｇ、ソレノイド制御部１０５ｈ、通信部１０５ｉを備える。
【０１９２】
なお、制御部１０５ａ、搬送制御部１０５ｂ、昇降制御部１０５ｃ、計数演算部１０５ｄ、エラー判定部１０５ｅ、景品押出制御部１０５ｆ、載置台制御部１０５ｇ、ソレノイド制御部１０５ｈ、通信部１０５ｉのうちの少なくとも一部を主制御手段１０４、ＰＯＳ１９、管理装置２５、ＰＣ４１などが有してもよい。
【０１９３】
レーン制御手段１０５は、主制御手段１０４に制御されて、景品Ｗの払出しや在庫の計数などを行う。ここでは、主に景品Ｗの払出しについて説明する。
レーン制御手段１０５は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。ＲＡＭは、払出枚数情報を保持する保持部である。
【０１９４】
制御部１０５ａは、搬送制御部１０５ｂ、昇降制御部１０５ｃ、計数演算部１０５ｄ、エラー判定部１０５ｅ景品押出制御部１０５ｆ、載置台制御部１０５ｇ、ソレノイド制御部１０５ｈ、通信部１０５ｉを制御する。
制御部１０５ａは、図６に示したロック機能部１１２ｃや接点スイッチ１１２ｄと接続されており、カートリッジ挿入口扉１１２ｂが閉められているか否か、ロック機能部１１２ｃによりロックされているか否かを検知することができる。
【０１９５】
制御部１０５ａは、例えば、ロック機能部１１２ｃによりカートリッジ挿入口扉１１２ｂがロックされていない場合、景品Ｗの払出しを行わない。
制御部１０５ａは、全ての払出し予定の景品Ｗが、計数部２３０の計数ピック２３６を通過したことに対応させて、昇降制御部１０５ｃを制御して、計数部１７０及び景品搬送部１８０の上昇を停止させることができる。
【０１９６】
昇降制御部１０５ｃは、初期位置センサ１５１，１５２、原位置センサ２３１と接続されている。昇降制御部１０５ｃは、図７に示したステッピングモータ１４１の回転を制御してスパイラルシャフト１４３を回転させ、連結された計数部１７０及び景品搬送部１８０を昇降させる。この結果、景品Ｗが、下部ユニット１１２から上部ユニット１１３まで搬送される。
昇降制御部１０５ｃは、制御部１０５ａに制御されてステッピングモータ１４１の回転を停止することもある。例えば、上記したように全ての払出し予定の景品Ｗが、計数部２３０の計数ピック２３６を通過した場合や、景品Ｗの払出し中にエラーが発生した場合である。
【０１９７】
昇降制御部１０５ｃは、原位置センサ２３１による景品Ｗの検知結果に対応させて、計数部１７０及び景品搬送部１８０の昇降速度を可変させたり昇降を停止させたりする。
昇降制御部１０５ｃは、例えば、原位置センサ２３１が最上の景品Ｗを検知するまでは速い第１の速度で上昇させ、原位置センサ２３１が最上の景品Ｗを検知してからはこの第１の速度よりも遅い第２の速度で上昇させる。この第１の速度と第２の速度比は、例えば、第１の速度：第２の速度＝２：１である。
【０１９８】
計数演算部１０５ｄは、図１０に示した計数センサ２３２、計数チェックセンサ２４４と接続されている。
計数演算部１０５ｄは、計数センサ２３２、計数チェックセンサ２４４からそれぞれ出力された検知信号に基づいて景品Ｗの枚数をそれぞれ算出する。計数演算部１０５ｄは、算出した景品Ｗの枚数を示す情報を制御部１０５ａやエラー判定部１０５ｅに出力する。
【０１９９】
検知信号は、例えば、所定の交流波形状を有する信号である。例えば、計数チェックセンサ２４４が光センサであった場合を説明すると、すでに述べたように景品Ｗの側面の中央部では光の反射量が多くなり、計数チェックセンサ２４４が出力する検知信号のレベルは最も高くなる。また、景品Ｗが存在しない場所や隣接する景品Ｗの境界部では、光の反射量が少なくなるので、計数チェックセンサ２４４が出力する検知信号のレベルは低くなる。検知信号は、この高低に対応した波形となる。
【０２００】
計数演算部１０５ｄは、このような波形を有する検知信号の値と閾値とを比較して、この検知信号の値が閾値を超えた回数を、景品Ｗの枚数としてカウントすることができる。
【０２０１】
検知信号が方形波の場合もある。この場合、計数演算部１０５ｄは、この方形波の立ち上がり位置または立ち下り位置を「景品Ｗが１枚ある」としてカウントする。
計数演算部１０５ｄは、景品Ｗの枚数を示す情報をエラー判定部１０５ｅに出力する。
【０２０２】
エラー判定部１０５ｅは、計数演算部１０５ｄが計数センサ２３２が出力した検知信号に基づいて算出した景品Ｗの枚数と、計数チェックセンサ２４４が出力した検知信号に基づいて算出した景品Ｗの枚数が一致するか否かを判断する。
【０２０３】
エラー判定部１０５ｅは、算出された景品Ｗの枚数が一致しなかった場合には、景品計数部２３０による払出し対象の景品Ｗの計数及び分別が正常に行われなかったことを示す分別エラー信号を制御部１０５ａに出力する。この分別エラー信号を受信した制御部１０５ａは、景品Ｗの払出しを停止する（景品Ｗの払出しエラー）。
【０２０４】
なお、エラー判定部１０５ｅは、計数センサ２３２が出力した検知信号に基づいて算出された景品Ｗの枚数を用いず、払出指示信号に含まれる払出し予定の景品Ｗの枚数と、計数チェックセンサ２４４が出力した検知信号に基づいて算出された景品Ｗの枚数が一致するか否かを判断することで、分別エラー信号を出力するようにしてもよい。
【０２０５】
景品押出制御部１０５ｆは、図９に示した押出モータ２１６、センサ２１４ａ，２１４ｂと接続されており、押出モータ２１６を駆動させて景品押出部２１０の本体部２１３及び押出板２１５を進退可能にスライドさせる。
景品押出制御部１０５ｆは、本体位置センサ２１４ａ，２１４ｂが出力した検知信号に基づいて、本体部２１３及び押出板２１５のスライドを停止させる。
【０２０６】
載置台制御部１０５ｇは、図１０に示した駆動モータ２４５、センサ２４７ａ，２４７ｂ、取忘センサ２４２と接続されており、駆動モータ２４５を駆動させて載置台２４１を昇降させる。載置台制御部１０５ｇは、センサ２４７ａ及びセンサ２４７ｂが出力した検知信号に基づいて、載置台２４１の昇降を停止させる。
載置台制御部１０５ｇは、取忘センサ２４２の検知信号に基づいて、載置台２４１上に景品Ｗがあるか否かを判定する。
【０２０７】
ソレノイド制御部１０５ｈは、図１０に示したソレノイド２３４，２３５と接続される。ソレノイド制御部１０５ｈは、ソレノイド２３４，２３５が有しているコイルへの電流のＯＮ・ＯＦＦを制御し、可動鉄心をソレノイド２３４，２３５の本体に出入れする。この結果、払出しのエラー時に計数ピック２３６や、押圧ピック２３７が退避される。
【０２０８】
通信部１０５ｉには、ＬＡＮケーブルや制御用の信号線を接続することができ、このことによって、各装置、各センサ、各モータ、エンコーダなどがそれぞれ接続されて、種々の制御信号や検知信号が送受信される。
【０２０９】
（レーン制御手段１０５による制御について）
次に図２０を参照して、景品Ｗを計数及び払出しに係るレーン制御手段１０５の制御について説明する。図２０は、レーン制御手段１０５の制御を示すフローチャートである。
【０２１０】
（１）払出し動作の開始（ステップＳ１０１〜Ｓ１０３）
レーン制御手段１０５は、連結された計数部１７０及び景品搬送部１８０を上昇させて、景品Ｗを下部ユニット１１２から上部ユニット１１３まで搬送する。
このとき、レーン制御手段１０５は、速い第１の速度で連結された計数部１７０及び景品搬送部１８０を上昇させる（ステップＳ１０１）。
【０２１１】
レーン制御手段１０５は、原位置センサ２３１が最上の景品Ｗを検知するまで、ステップＳ１０１の処理を繰り返す（ステップＳ１０２のＮｏ）。
原位置センサ２３１が最上の景品Ｗを検知した場合（ステップＳ１０２のＹｅｓ）、レーン制御手段１０５は、上昇速度を第１の速度よりも遅い第２の速度に変更する（ステップＳ１０３）。
【０２１２】
なお、この払出し動作の開始時に、すでに最上の景品Ｗが原位置センサ２３１と対応する位置まで上昇している（待機している）場合がある。この場合、ステップＳ１０１及びステップＳ１０２の動作は省略される。
【０２１３】
（２）計数処理（ステップＳ１０４〜Ｓ１０６）
第２の速度で上昇した景品Ｗは、図１６を用いて説明したように、それぞれ階段状にずれながら計数ピック２３６を乗り越えていく。この乗り越えた景品Ｗは、計数センサ２３２（計数演算部１０５ｄ）によって払出し対象の景品Ｗとしてカウントされていく（ステップＳ１０４）。
【０２１４】
レーン制御手段１０５は、計数センサ２３２によるカウントが、払出指示信号に含まれる払出し予定の景品Ｗの枚数と一致するまでステップＳ１０４の動作を繰り返す（ステップＳ１０５のＮｏ）。
計数センサ２３２によって検知された景品Ｗの枚数と、払出指示信号に含まれる払出し予定の景品Ｗの枚数とが一致した場合（ステップＳ１０５のＹｅｓ）、レーン制御手段１０５は、連結された計数部１７０及び景品搬送部１８０の上昇を停止する（ステップＳ１０６）。
【０２１５】
（３）景品Ｗの押し出し（ステップＳ１０７〜Ｓ１１０）
レーン制御手段１０５は、連結された計数部１７０及び景品搬送部１８０を所定量下降させて払出し対象の景品Ｗと、非払出し対象の景品Ｗとの間に隙間を形成する（ステップＳ１０７）。
レーン制御手段１０５は、押出モータ２１６を制御して景品押出部２１０の本体部２１３を前進させる（ステップＳ１０８）。この結果、払出し対象の景品Ｗが、景品分別部２２０から景品払出部２４０の載置台２４１に押し出される。
【０２１６】
レーン制御手段１０５は、センサ２１４ｂによって、本体部２１３が前進端まで移動したことが検知されるまで、ステップＳ１０８の処理を繰り返す（ステップＳ１０９のＮｏ）。
センサ２１４ｂによって、本体部２１３が前進端まで移動したことが検知された場合（ステップＳ１０９のＹｅｓ）、レーン制御手段１０５は、押出モータ２１６を制御して景品押出部２１０の本体部２１３を停止させる（ステップＳ１１０）。このとき、載置台２４１への払出し対象の景品Ｗの載置が完了する。
【０２１７】
（４）エラーチェック（ステップＳ１１１〜Ｓ１１３）
レーン制御手段１０５は、駆動モータ２４５を制御して載置台２４１を上昇させる（ステップＳ１１１）。このとき、計数チェックセンサ２４４によって載置台２４１上の景品Ｗが個別に検知される。
レーン制御手段１０５は、計数チェックセンサ２４４による検知結果に基づいて、景品計数部２３０による払出し対象の景品Ｗの計数及び分別が正常に行われたか否かを判定する（ステップＳ１１２）。
【０２１８】
レーン制御手段１０５が、景品計数部２３０による払出し対象の景品Ｗの計数及び分別が正常に行われてないと判定した場合（ステップＳ１１３のＮｏ）、景品払出し動作は終了する。この場合、レーン制御手段１０５は、載置台２４１の上昇を停止させたり、警報を出したりする。
【０２１９】
（５）払出し動作の継続（ステップＳ１１３のＹｅｓ〜Ｓ１１７）
レーン制御手段１０５が、景品計数部２３０による払出し対象の景品Ｗの計数及び分別が正常に行われていると判定した場合（ステップＳ１１３のＹｅｓ）、レーン制御手段１０５は、引き続き載置台２４１を上昇させる（ステップＳ１１４）。このとき、レーン制御手段１０５は、載置台２４１をステップＳ１１１での上昇速度よりも速い速度で上昇させてもよい。上昇速度を速くすることで、払出しに掛かる時間が短縮できる。
【０２２０】
ステップＳ１１４の後、載置台２４１が上昇すると押圧板２５２の回動によってベース部２６２などが移動を始め、景品払出口１００ｄが露出する（ステップＳ１１５）。なお、ベース部２６２などが移動を始めるタイミングは、ステップＳ１１４以前でもよく、例えば、ステップＳ１１１の直後でもよい。
【０２２１】
レーン制御手段１０５は、センサ２４７ａによって、載置台２４１が上昇限界位置まで上昇したことが検知されるまで、ステップＳ１１４の処理を繰り返す（ステップＳ１１６のＮｏ）。
【０２２２】
センサ２４７ａによって、載置台２４１が上昇限界まで上昇したことが検知された場合（ステップＳ１１６のＹｅｓ）、レーン制御手段１０５は、載置台２４１の上昇を停止させる（ステップＳ１１７）。
このとき、払出し対象の景品Ｗは、図２に示した排出天板１００ａ上に排出されており、遊技客は、排出天板１００ａ上の景品Ｗを持ち出せる状態になっている。
【０２２３】
（５）取忘れチェック（ステップＳ１１８及びＳ１１９）
レーン制御手段１０５は、取忘センサ２４２の検知信号を監視している（ステップＳ１１８）。レーン制御手段１０５は、取忘センサ２４２の検知信号に基づいて、載置台２４１上に景品Ｗがあるか否かを判定する。
レーン制御手段１０５が載置台２４１上に景品Ｗがないと判定した場合、排出天板１００ａ上の景品Ｗが遊技客によって持ち出されたことを意味する（ステップＳ１１９のＹｅｓ）。
【０２２４】
レーン制御手段１０５が載置台２４１上に景品Ｗがあると判定した場合、排出天板１００ａ上の景品Ｗが、遊技客によってまだ持ち出さてれていないことを意味するので、レーン制御手段１０５は景品Ｗが遊技客によって持ち出されるまで待機する（ステップＳ１１９のＮｏ）。
【０２２５】
（６）載置台下降（ステップＳ１２０〜Ｓ１２２）
ステップＳ１１９のＹｅｓの後、レーン制御手段１０５は、駆動モータ２４５を制御して、載置台２４１を下降させる（ステップＳ１２０）。このとき、載置台２４１の下降に連動してベース部２６２が元の位置に移動し、再び景品払出口１００ｄが閉鎖される。
【０２２６】
レーン制御手段１０５が載置台２４１を下降させるとき、ステップＳ１１１での上昇速度よりも速い速度で下降させてもよい。下降速度を速めることで、払出し動作が完了するまでに掛かる時間が短縮できる。
レーン制御手段１０５は、センサ２４７ｂによって、載置台２４１が下降限界位置まで下降したことが検知されるまで、ステップＳ１２０の処理を繰り返す（ステップＳ１２１のＮｏ）。
【０２２７】
センサ２４７ｂによって、載置台２４１が下降限界位置まで下降したことが検知された場合（ステップＳ１２１のＹｅｓ）、レーン制御手段１０５は、載置台２４１の下降を停止させる（ステップＳ１２２）。
【０２２８】
（７）計数部１７０及び景品搬送部１８０の下降（ステップＳ１２３及びＳ１２４）
レーン制御手段１０５は、非払出し対象の景品Ｗのうちの最上の景品Ｗが原位置センサ２３１（図中の「センサ」）を通過する位置まで連結された計数部１７０及び景品搬送部１８０を下降させる（ステップＳ１２３）。
【０２２９】
レーン制御手段１０５は、原位置センサ２３１によって、非払出し対象の景品Ｗのうちの最上の景品Ｗが原位置センサ２３１を通過したことが検知されない場合（ステップＳ１２４のＮｏ）、ステップＳ１２３の処理を繰り返す。
原位置センサ２３１によって、非払出し対象の景品Ｗのうちの最上の景品Ｗが原位置センサ２３１を通過したことが検知された場合（ステップＳ１２４のＹｅｓ）、レーン制御手段１０５は、連結された計数部１７０及び景品搬送部１８０の下降を停止させる（ステップＳ１２５）。
【０２３０】
（８）本体部２１３（ステップＳ１２６〜Ｓ１２８）
レーン制御手段１０５は、押出モータ２１６を制御して景品押出部２１０の本体部２１３を後退させる（ステップＳ１２６）。
レーン制御手段１０５は、センサ２１４ａによって、本体部２１３がホームポジションまで後退したことが検知されるまで、ステップＳ１２６の処理を繰り返す（ステップＳ１２７のＮｏ）。
【０２３１】
センサ２１４ａによって、本体部２１３がホームポジションまで後退したことが検知された場合（ステップＳ１２７のＹｅｓ）、レーン制御手段１０５は、押出モータ２１６を制御して本体部２１３の後退を停止させる（ステップＳ１２８）。
【０２３２】
景品払出装置１７では、上部ユニット１１３を備えることにより従来用いられていた景品Ｗを押し出すためのアームを排出天板１００ａ上に設ける必要がない。したがって、排出天板１００ａに段差を設けなくともよく、フラットに形成することができる。
したがって、排出天板１００ａ上の景品を容易に視認することが可能となる。
【０２３３】
景品払出装置１７では、載置台２４１が上昇した先に景品払出口１００ｄが配置されているので、載置台２４１に景品Ｗが載置されてから速やかに景品払出口１００ｄから払出しすることができる。
【０２３４】
景品払出装置１７では、押圧板２５２を備えることにより、載置台２４１の昇降に同期して蓋体２６４が自動的に開閉するので、蓋体２６４を開閉するための専用のモータなどを備える必要が無く、製造コストが上昇してしまうことを防止することができる。
【０２３５】
景品払出装置１７では、景品Ｗを１枚ずつ水平方向に送り出す動作を省略できることから景品Ｗの払出しに掛かる時間を短縮することができる。
【０２３６】
（第２の実施形態）
次に、図２１を参照して本願の第２の実施形態について説明する。図２１は、第２の実施形態に係る上部ユニット１１３ａの内部を示す概略図である。
なお、図２１において、図１〜図２０に示した第１の実施形態中の構成要素と対応する構成要素については、同一の符号を付与し、その説明を省略する。
【０２３７】
図２１に示すように第２の実施形態の上部ユニット１１３ａは、景品計数部２３０、傾斜ユニット３２０、景品払出部３４０を備える。
第２の実施形態の上部ユニット１１３ａは、さらに、第１の実施形態の上部ユニット１１３に備えられた種々の部材を備えており、またこれらの配置位置や配置向きが適宜変更されている。
【０２３８】
例えば、上部ユニット１１３ａは、計数チェックセンサ２４４、駆動モータ２４５、センサ２１４ａ，２１４ｂ，２４７ａ，２４７ｂ、取忘センサ２４２などを備える。
計数チェックセンサ２４４は、傾斜ユニット３２０と整列壁部２３３に挟まれる位置に配置されている。駆動モータ２４５は、景品払出部３４０と接触する位置に配置されている。センサ２１４ａ，２１４ｂ，２４７ａ，２４７ｂは、景品払出部３４０の近傍にそれぞれ配置されている。取忘センサ２４２は、景品払出部３４０に設けられる。
【０２３９】
上部ユニット１１３ａでは、第１の実施形態の上部ユニット１１３の景品押出部２１０による景品Ｗの水平方向への移動を省略可能としている。
上部ユニット１１３ａでは、景品払出口１００ｄ及びシャッター部２６０の蓋体２６４が、景品挿入口２００ａと対応する位置に配置されている。また、ここでは、図示を省略したが、払出口開閉部２５０は、スライドレール２４６側から傾斜ユニット３２０側に向けてシャッター部２６０のベース部２６２を押圧するように設けられる。
【０２４０】
傾斜ユニット３２０は、第１の実施形態の景品分別部２２０と対応する。傾斜ユニット３２０は、略直方体形状を有し、整列壁部２３３との対向面には、第１の実施形態の景品分別部２２０と同様の傾斜面Ｓ２が形成されている。
景品払出部３４０は、分別床保持部３４１、分別床３４２を備える。
【０２４１】
景品払出部３４０は、第１の実施形態の本体部２１３、景品分別部２２０が備える分別床２２４、景品払出部２４０が備える載置台２４１と対応する。ここでは図示を省略したが、景品払出部３４０は、図９に示した延設部２４１ｂや接触端子２４１ｈを備える。
分別床保持部３４１は、断面略Ｔ字状に形成され、短手部３４１ａ及び長手部３４１ｂを備える。
【０２４２】
分別床保持部３４１は、スライドレール２４６に移動自在に設けられており、スライドレール２４６に沿って上部ユニット１１３ａ内を垂直方向に昇降する。
短手部３４１ａは、ベース部２００と並行している。短手部３４１ａには、ベース部２００と並行する方向にこの短手部３４１ａを貫通する貫通孔３４１ｃが設けられる。貫通孔３４１ｃには分別床３４２が挿入される。
【０２４３】
長手部３４１ｂは、ベース部２００に対して略直交している。長手部３４１ｂの側面は、駆動モータ２４５と接触している。駆動モータ２４５が回転することによって長手部３４１ｂは、垂直方向に移動する。この結果、分別床保持部３４１全体がスライドレール２４６にガイドされながら垂直方向に移動する。
分別床保持部３４１の上昇に同期してベース部２６２などが移動し、景品払出口１００ｄが露出する。
【０２４４】
分別床３４２は、略長方形状の薄板である。分別床３４２は、分別床保持部３４１の短手部３４１ａの貫通孔３４１ｃに進退自在に設けられる。分別床３４２の整列壁部２３３側の側面には、景品Ｗ間に差し込まれやすくなるための斜面３４２ａが形成されている。分別床３４２の所定の箇所には、取忘センサ２４２が設けられている。
この実施の形態では、センサ２４７ａ，２４７ｂは、分別床保持部３４１の上昇限界位置及び下降限界位置をそれぞれ検知する。そして、センサ２１４ａ，２１４ｂは、分別床３４２の前進端及び後進端をそれぞれ検知する。
【０２４５】
（動作説明）
次に図２２を参照して、この第２の実施形態の景品払出装置１７による景品Ｗの払出し動作について説明する。図２２は、第２の実施形態の景品払出装置１７に係る景品Ｗの払出しの動作を示すフローチャートである。この実施の形態においても景品Ｗの払出しは、払出指示信号を受信した主制御手段１０４が、レーン制御手段１０５を制御して行う。
【０２４６】
（１）払出し動作の開始（ステップＳ２０１）
このステップＳ２０１の動作は、第１の実施形態の景品Ｗの払出し動作（図２０に示したステップＳ１０１〜Ｓ１０７参照）と同じであり、詳細な説明は省略する。このステップＳ２０１の動作によって、払出し対象の景品Ｗと、非払出し対象の景品Ｗとの間に隙間が形成される（図２７参照）。
【０２４７】
（２）分別床３４２の前進（ステップＳ２０２）
レーン制御手段１０５は、押出モータ２１６を制御して分別床３４２を前進させる。結果的に分別床３４２が払出し対象の景品Ｗと非払出し対象の景品Ｗの間に挿入され、これらが完全に分別される。
【０２４８】
（３）分別床３４２の上昇（ステップＳ２０３）
レーン制御手段１０５は、駆動モータ２４５を制御して分別床保持部３４１を上昇させる。分別床３４２は、払出し対象の景品Ｗを支持したまま分別床保持部３４１と一体的に上昇する。なお、駆動モータ２４５を回転させる前に、レーン制御手段１０５はソレノイド２３４を制御して、計数ピック２３６を退避させることが望ましい。計数ピック２３６が退避することによって、払出し対象の景品Ｗが分別床３４２の上に完全に載置される。このことにより分別床保持部３４１の上昇時の景品Ｗの安定性が増す。
【０２４９】
（４）エラーチェック（ステップＳ２０４）
分別床保持部３４１が上昇すると、計数チェックセンサ２４４によって載置台２４１上の景品Ｗが個別に検知される。
レーン制御手段１０５は、計数チェックセンサ２４４による検知結果に基づいて、景品計数部２３０による払出し対象の景品Ｗの計数及び分別が正常に行われたか否かを判定する（ステップＳ２０５）。
【０２５０】
レーン制御手段１０５が、景品計数部２３０による払出し対象の景品Ｗの計数及び分別が正常に行われていると判定した場合（ステップＳ２０５のＹｅｓ）、レーン制御手段１０５は、景品Ｗの払出し動作を継続する。レーン制御手段１０５が、景品計数部２３０による払出し対象の景品Ｗの計数及び分別が正常に行われていないと判定した場合（ステップＳ２０５のＮｏ）、レーン制御手段１０５は、景品計数部２３０による払出し対象の景品Ｗの計数をやり直す。このやり直し動作をリトライ動作という。
【０２５１】
（５）景品Ｗの払出しの継続（ステップＳ２０５のＹｅｓ、ステップＳ２０６）
景品Ｗの計数及び分別が正常に行われていると判定した場合、レーン制御手段１０５は、引き続き載置台２４１を上昇させる。載置台２４１が上昇すると押圧板２５２の回動によってベース部２６２などが移動を始め、景品払出口１００ｄが露出する（ステップＳ２０６）。なお、ベース部２６２などが移動を始めるタイミングは、ステップＳ２０５以前でもよく、例えば、ステップＳ２０３の直後でもよい。
【０２５２】
レーン制御手段１０５は、分別床保持部３４１を上昇限界位置まで上昇させる。このとき、レーン制御手段１０５は、分別床保持部３４１をステップＳ２０３での上昇速度よりも速い速度で上昇させてもよい。上昇速度を速くすることで、払出しに掛かる時間が短縮できる。
【０２５３】
分別床保持部３４１が上昇限界まで上昇すると、レーン制御手段１０５は、分別床保持部３４１の上昇を停止させる。
このとき、払出し対象の景品Ｗは、図２１に示した排出天板１００ａ上に排出されており、遊技客は、排出天板１００ａ上の景品Ｗを持ち出せる状態になっている。
【０２５４】
（６）取忘れチェック（ステップＳ２０７）
レーン制御手段１０５は、取忘センサ２４２の検知信号に基づいて、分別床３４２上に景品Ｗがあるか否か、すなわち、遊技客が景品Ｗを持ち出したか否かを判定する。
【０２５５】
（７）分別床保持部３４１の下降及び分別床３４２の後退（ステップＳ２０８、Ｓ２０９）
遊技客が景品Ｗを持ち出したと判定した場合、レーン制御手段１０５は、駆動モータ２４５を制御して分別床保持部３４１を下降させる。このとき、分別床保持部３４１の下降に連動してベース部２６２などが元の位置に移動し、再び景品払出口１００ｄが閉鎖される。
分別床保持部３４１が下降限界位置すると、レーン制御手段１０５は、押出モータ２１６を制御して分別床３４２を後退させる。
【０２５６】
（８）計数部１７０及び景品搬送部１８０の下降（ステップＳ２１０）
分別床３４２が後進端まで後退すると、レーン制御手段１０５は、非払出し対象の景品Ｗのうちの最上の景品Ｗが原位置センサ２３１を通過する位置まで、連結された計数部１７０及び景品搬送部１８０を下降させる。このとき、レーン制御手段１０５は、押圧ピック２３７が下降する景品Ｗに干渉しないようにソレノイド２３５を制御して押圧ピック２３７を退避させる。
【０２５７】
連結された計数部１７０及び景品搬送部１８０の下降が完了すると、レーン制御手段１０５は、ソレノイド２３５を制御して押圧ピック２３７を復帰させる。そして、レーン制御手段１０５は、景品Ｗの次回の払出しまで待機する。
【０２５８】
（９）リトライ動作開始（ステップＳ２０５のＮｏ、ステップＳ２１１）
景品Ｗの計数及び分別が正常に行われていないと判定した場合、レーン制御手段１０５は、分別床保持部３４１の上昇を停止させる。
【０２５９】
（１０）計数ピック２３６、押圧ピック２３７の退避（ステップＳ２１２）
レーン制御手段１０５は、ソレノイド２３４及び２３５を制御して計数ピック２３６、押圧ピック２３７をそれぞれ退避させる。
【０２６０】
（１１）分別床保持部３４１の下降及び分別床３４２の後退（ステップＳ２１３、Ｓ２１４）
レーン制御手段１０５は、駆動モータ２４５を制御して、分別床保持部３４１を下降させる。このとき、計数ピック２３６は退避しているため、計数ピック２３６が、分別床３４２上の景品Ｗに干渉することはない。
【０２６１】
分別床保持部３４１が下降限界位置すると、レーン制御手段１０５は、押出モータ２１６を制御して分別床３４２を後退させる。このとき、分別床３４２上の景品Ｗも分別床３４２と一緒に後退するが、整列壁部２３３の傾斜面Ｓ３とぶつかることによって、その場に残され、分別床３４２だけが後進端まで移動する。この結果、分別床３４２に乗っていた景品Ｗは、非払出し対象の景品Ｗの上に戻される。
【０２６２】
（８）計数部１７０及び景品搬送部１８０の下降（ステップＳ２１５）
分別床３４２が後進端まで後退すると、レーン制御手段１０５は、最上の景品Ｗが原位置センサ２３１を通過する位置まで、連結された計数部１７０及び景品搬送部１８０を下降させる。このとき、このとき、押圧ピック２３７は退避しているため、押圧ピック２３７が、下降する景品Ｗに干渉することはない。
【０２６３】
（９）再計数処理（ステップＳ２１６）
連結された計数部１７０及び景品搬送部１８０の下降が完了すると、レーン制御手段１０５は、ソレノイド２３５、２３６を制御して押圧ピック２３７、計数ピック２３６を復帰させる。そして、レーン制御手段１０５は、再び連結された計数部１７０及び景品搬送部１８０を上昇させて、景品Ｗの計数及び払出し処理を再度行う。
【０２６４】
上部ユニット１１３ａでは、リトライ動作によって景品Ｗの払出し動作を確実に行うことができる。
上部ユニット１１３ａでは、上記したように、分別床３４２が、押出モータ２１６によって、進退可能にスライドし、かつ計数ピック２３６によって隙間が形成された払出し対象の景品Ｗと非払出し対象の景品Ｗとの間に差し込まれてこれらを分別する。そして、駆動モータ２４５の駆動によって分別床３４２が、分別床保持部３４１と一体的に上昇して景品払出口１００ｄから景品Ｗを払い出す。
【０２６５】
要するに、上部ユニット１１３ａでは、第１の実施形態の景品押出部２１０が備える本体部２１３、景品分別部２２０が備える分別床２２４、景品払出部２４０が備える載置台２４１の各機能が、景品払出部３４０に集約されている。
このことから、ベース部２００の長手方向の長さを短くすることができ、上部ユニット１１３ａをコンパクトにまとめることができる。これに伴って製造コストの削減を図ることができる。
【０２６６】
また、景品Ｗを水平方向に押し出す動作を省略できることから景品Ｗの払出しに掛かる時間を短縮することができる。
【０２６７】
（その他の実施形態）
以上、第１、２の実施形態を具体的に説明したが、本発明は、上記実施形態などに限定されるものではなく、実施段階ではその要旨を逸脱しない範囲で構成要素をさらに変形して具現化できる。また、上記実施形態などに開示されている複数の構成要素の適宜な組み合わせにより、種々の発明を形成できる。例えば、実施形態などに示される全構成要素から幾つかの構成要素を削除してもよい。さらに異なる実施形態に渡る構成要素を適宜組み合わせてもよい。
【０２６８】
例えば、払出口開閉部２５０を備えず、シャッター部２６０と押出モータ２１６をギア、ベルト機構、チェーン機構などの接続手段によって接続し、押出モータ２１６の駆動に同期して蓋体２６４が開閉するように構成することもできる。
同様の接続手段によって、シャッター部２６０と駆動モータ２４５を接続してもよい。
【符号の説明】
【０２６９】
１…景品払出システム、１７…景品払出装置、１００…筐体、１０３…点灯部、１０４…主制御手段、１０５…レーン制御手段、１１０…景品払出ユニット、１１１…景品カートリッジ、１１２…下部ユニット、１１３，１１３ａ…上部ユニット、１７０…計数部、１８０…景品搬送部、２００…ベース部、２１０…景品押出部、２１１…枠体、２１２…スライドレール、２１３…本体部、２１５…押出板、２１６…押出モータ、２２０…景品分別部、２２３…保持部材、２２４…分別床、２３０…景品計数部、２３１…原位置センサ、２３２…計数センサ、２３３…整列壁部、２３６…計数ピック、２３７…押圧ピック、２４０…景品払出部、２４１…載置台、２４２…取忘センサ、２４３…壁、２４４…計数チェックセンサ、２４５…駆動モータ、２４６…スライドレール、２４１…載置台、２４５…駆動モータ、２５０…払出口開閉部、２５１…保持板、２５２…押圧板、２６０…シャッター部、２６１…ガイドレール、２６２…ベース部、２６３…摺動部材、２６４…蓋体、２６５…押圧板接触部、２６６…はね部、２６７…支持部材、２６８…摺動部材、３２０…傾斜ユニット、３４０…景品払出部、３４１…分別床保持部、３４２…分別床。
【図１】
2020014892.tif 000003
【図２】
2020014892.tif 000004
【図３】
2020014892.tif 000005
【図４】
2020014892.tif 000006
【図５】
2020014892.tif 000007
【図６】
2020014892.tif 000008
【図７】
2020014892.tif 000009
【図８】
2020014892.tif 000010
【図９】
2020014892.tif 000011
【図１０】
2020014892.tif 000012
【図１１】
2020014892.tif 000013
【図１２】
2020014892.tif 000014
【図１３】
2020014892.tif 000015
【図１４】
2020014892.tif 000016
【図１５】
2020014892.tif 000017
【図１６】
2020014892.tif 000018
【図１７】
2020014892.tif 000019
【図１８】
2020014892.tif 000020
【図１９】
2020014892.tif 000021
【図２０】
2020014892.tif 000022
【図２１】
2020014892.tif 000023
【図２２】
2020014892.tif 000024